(57)【要約】【課題】生体組織内に留置後であっても生体組織外に容易に抜き出すことができるカテーテルを提供すること。【解決手段】本発明にかかるカテーテルは、内部ルーメン３ｃと、内部ルーメン３ｃに連通する側孔を有する躯体３と、鋭利な先端を有し、躯体と分離可能に接続する穿刺針と、躯体３に接続されて躯体３を生体組織に固定する先端側ストッパ５と、先端側ストッパ５と躯体３とを固定する糸１１とを備え、内部ルーメン３ｃ糸を切断する切断部材１２が配置される。【選択図】図１０
2013031505.tif 000002
【特許請求の範囲】
【請求項１】
生体組織内に少なくとも一部が導入されるカテーテルであって、
内部ルーメンと、前記内部ルーメンに連通する側孔を有する躯体と、
鋭利な先端を有し、前記躯体と分離可能に接続する穿刺針と、
前記躯体に接続されて前記躯体を前記生体組織に固定するストッパと、
前記ストッパと前記躯体とを固定する固定部材と、
を備え、
前記躯体内部には、前記生体組織外に連通し、前記固定部材の固定を解除するために使用されるスペースが設けられることを特徴とするカテーテル。
【請求項２】
前記スペースに配置され、前記固定部材の固定解除の際に前記固定部材の固定を解除する固定解除手段をさらに備えたことを特徴とする請求項１に記載のカテーテル。
【請求項３】
前記固定部材の一部は、前記スペースに挿通されることを特徴とする請求項１に記載のカテーテル。
【請求項４】
前記固定部材は、糸であり、
前記ストッパは、
前記躯体の一部が挿入される躯体挿入用穴と、
前記躯体挿入用穴と連通し、前記糸が挿通される糸挿通用穴と、
を備え、
前記糸は、前記糸挿通用穴を介して、前記躯体挿入用穴に挿入された前記躯体の前記内部ルーメンを貫通するとともに前記ストッパ外部で両端が結ばれることを特徴とする請求項２に記載のカテーテル。
【請求項５】
前記固定解除手段は、前記糸を切断する切断部材であることを特徴とする請求項４に記載のカテーテル。
【請求項６】
前記固定部材は、糸であり、
前記ストッパは、
前記躯体の一部が挿入される躯体挿入用穴と、
前記躯体挿入用穴と連通し、前記糸が挿通される糸挿通用穴と、
を備え、
前記糸は、前記糸挿通用穴を介して、前記躯体挿入用穴に挿入された前記躯体の前記内部ルーメンを貫通するとともに、前記スペースに挿通し、前記生体組織外において両端が結ばれることを特徴とする請求項３に記載のカテーテル。
【請求項７】
前記固定部材は、互いに係合し合う第１の糸と第２の糸であり、
前記ストッパは、
前記躯体の一部が挿入される躯体挿入用穴と、
前記躯体挿入用穴と連通し、前記第１の糸が挿通される糸挿通用穴と、
を備え、
前記第１の糸は、躯体に挿入され、
前記第２の糸は、前記スペースに挿通され、前記スペースの途中で前記第１の糸と係合して、前記生体組織外で両端が結ばれることを特徴とする請求項３に記載のカテーテル。
【請求項８】
前記ストッパは、前記躯体の一部が挿入される躯体挿入用穴を有し、
前記固定部材は、前記躯体挿入用穴に設けられ、前記躯体の一部を把持可能である把持部材であり、
前記躯体は、前記把持部材の把持部材と係合する係合部を有する先端部材が接着剤によって先端に接着されており、
前記固定解除手段は、前記接着剤に紫外線または熱を供給することによって前記接着剤による前記躯体と前記先端部材との接着を解除して、前記躯体を前記先端部材から分離させることを特徴とする請求項２に記載のカテーテル。
【請求項９】
前記ストッパは、前記躯体の一部が挿入される躯体挿入用穴を有し、
前記躯体は、内部に流体供給用の穴部が形成されており、該穴部に流体が供給されることによって前記躯体の径方向に拡張可能である拡張部材を先端に有し、
前記固定部材は、前記躯体挿入用穴に設けられ、前記拡張部材を把持可能である把持部材であり、
前記固定解除手段は、前記拡張部材と、前記拡張部材内部に供給される流体とを有し、
前記拡張部材は、前記流体の前記穴部への供給によって前記躯体の径方向に拡張し、前記把持部材を把持方向とは逆方向に押し広げて前記把持部材の把持を解除することを特徴とする請求項２に記載のカテーテル。
【請求項１０】
前記ストッパは、前記躯体の一部が挿入される躯体挿入用穴を有し、
前記固定部材は、前記躯体挿入用穴に設けられ、前記躯体の一部を把持可能である把持部材であり、
前記固定解除手段は、前記把持部材を把持方向とは逆方向に押し広げる力を供給して前記把持部材の把持を解除することを特徴とする請求項２に記載のカテーテル。
【請求項１１】
前記ストッパは、前記躯体の一部が挿入される躯体挿入用穴を備え、
前記固定部材は、前記躯体に着脱可能に設けられ、前記躯体挿入用穴の径方向に広がる弾性力を有するバネ部材であって、前記躯体挿入用穴に前記躯体の一部が挿入された場合に前記弾性力によって前記躯体挿入用穴の側面に当て付いて前記躯体の一部を前記躯体挿入用穴に固定し、
前記固定解除手段は、前記バネ部材の脱離方向の力を供給して前記バネ部材を前記躯体から脱離させることによって前記バネ部材による前記躯体と前記ストッパとの固定を解除することを特徴とする請求項２に記載のカテーテル。
【請求項１２】
前記ストッパは、
前記躯体の一部が挿入される躯体挿入用穴と、
前記躯体挿入用穴に設けられた突出部と、
を備え、
前記固定部材は、前記躯体に設けられ、前記突出部を把持可能である把持部材であり、
前記固定解除手段は、前記把持部材を把持方向とは逆方向に押し広げる力を供給して前記把持部材の把持を解除することを特徴とする請求項２に記載のカテーテル。
【請求項１３】
前記ストッパは、前記躯体の一部が挿入される躯体挿入用穴を備え、
前記固定部材は、前記躯体に設けられ、前記躯体の径方向に拡張可能である拡張部材であり、
前記スペースに配置され、前記拡張部材を前記躯体の径方向に拡張させる拡張制御手段をさらに備え、
前記拡張部材は、前記拡張制御手段によって前記躯体の径方向に拡張することで前記躯体測定用穴の側面に当て付いて前記躯体の一部を前記躯体挿入用穴に固定し、前記拡張制御手段の前記スペースからの退避によって収縮することで前記躯体測定用穴の側面への当て付きを解除して前記躯体の一部の前記躯体挿入用穴に対する固定を解除することを特徴とする請求項１に記載のカテーテル。
【請求項１４】
前記内部ルーメンは、前記スペースとして機能することを特徴とする請求項１に記載のカテーテル。
【請求項１５】
前記躯体は、前記固定部材が配置する領域と前記内部ルーメンとを遮断する遮断部材を有し、
前記内部ルーメンは、前記遮断部材が除去されることによって前記固定部材が配置する領域と連通して前記スペースとして機能することを特徴とする請求項１に記載のカテーテル。
【請求項１６】
前記ストッパは、球形状をなすことを特徴とする請求項１に記載のカテーテル。
【請求項１７】
前記穿刺針および前記躯体のそれぞれと接続する接続部をさらに備え、
前記穿刺針は、前記接続部が前記躯体から取り外されることで、前記躯体から分離することを特徴とする請求項１に記載のカテーテル。
【発明の詳細な説明】
【技術分野】
【０００１】
この発明は、生体組織内に少なくとも一部が導入されるカテーテルに関するものである。
【背景技術】
【０００２】
従来、人間を含む哺乳動物の生体組織内に導入されて、直接、生体組織に薬剤を吐出するカテーテルが知られている。カテーテルは、内部にルーメンを有する細長い形状をなし、ルーメン内を移送された薬剤が、側面や先端に設けられた薬剤吐出口から生体組織内に吐出される構成となっている。また、カテーテルは、所定の固定手段によって、腫瘍のある臓器に係留されることが多い。
【０００３】
このようなカテーテルとして、カテーテルの途中にフランジを有する構成が提案されている（たとえば、特許文献１参照）。このようなカテーテルでは、たとえば縫合やステイプリングやフィブリン糊などによる接着を行うことによって、フランジを臓器に固定してカテーテルの生体中での位置を安定させている。
【０００４】
また、腫瘍および臓器を貫通して配置されたカテーテルの少なくとも先端にストッパ等を取付けることで、臓器からカテーテルが抜けないように固定する構成が提案されている（たとえば、特許文献２参照）。
【先行技術文献】
【特許文献】
【０００５】
【特許文献１】特開２０１０−２３３６８２号公報
【特許文献２】米国特許第７４６３９３４号明細書
【発明の概要】
【発明が解決しようとする課題】
【０００６】
ところで、薬剤投与が終了した場合、感染症等の有害事象を防止するために、生体内に留置したカテーテルを取り除く必要がある。
【０００７】
しかしながら、従来の構成によれば、カテーテルを抜き出すために、開腹手技を行ってから、フランジとフランジが付着していた臓器表面とを離間させる処置を行わなければならず、カテーテルを生体組織外に容易に抜き出すことができなかった。
【０００８】
この発明は、上記に鑑みてなされたものであって、生体組織内に留置後であっても生体組織外に容易に抜き出すことができるカテーテルを提供することを目的とする。
【課題を解決するための手段】
【０００９】
上述した課題を解決し、目的を達成するために、この発明にかかるカテーテルは、生体組織内に少なくとも一部が導入されるカテーテルであって、内部ルーメンと、前記内部ルーメンに連通する側孔を有する躯体と、鋭利な先端を有し、前記躯体と分離可能に接続する穿刺針と、前記躯体に接続されて前記躯体を前記生体組織に固定するストッパと、前記ストッパと前記躯体とを固定する固定部材と、を備え、前記躯体内部には、前記生体組織外に連通し、前記固定部材の固定を解除するために使用されるスペースが設けられることを特徴とする。
【００１０】
また、この発明にかかるカテーテルは、前記スペースに配置され、前記固定部材の固定解除の際に前記固定部材の固定を解除する固定解除手段をさらに備えたことを特徴とする。
【００１１】
また、この発明にかかるカテーテルは、前記固定部材の一部は、前記スペースに挿通されることを特徴とする。
【００１２】
また、この発明にかかるカテーテルは、前記固定部材は、糸であり、前記ストッパは、前記躯体の一部が挿入される躯体挿入用穴と、前記躯体挿入用穴と連通し、前記糸が挿通される糸挿通用穴と、を備え、前記糸は、前記糸挿通用穴を介して、前記躯体挿入用穴に挿入された前記躯体の前記内部ルーメンを貫通するとともに前記ストッパ外部で両端が結ばれることを特徴とする。
【００１３】
また、この発明にかかるカテーテルは、前記固定解除手段は、前記糸を切断する切断部材であることを特徴とする。
【００１４】
また、この発明にかかるカテーテルは、前記固定部材は、糸であり、前記ストッパは、前記躯体の一部が挿入される躯体挿入用穴と、前記躯体挿入用穴と連通し、前記糸が挿通される糸挿通用穴と、を備え、前記糸は、前記糸挿通用穴を介して、前記躯体挿入用穴に挿入された前記躯体の前記内部ルーメンを貫通するとともに、前記スペースに挿通し、前記生体組織外において両端が結ばれることを特徴とする。
【００１５】
また、この発明にかかるカテーテルは、前記固定部材は、互いに係合し合う第１の糸と第２の糸であり、前記ストッパは、前記躯体の一部が挿入される躯体挿入用穴と、前記躯体挿入用穴と連通し、前記第１の糸が挿通される糸挿通用穴と、を備え、前記第１の糸は、躯体に挿入され、前記第２の糸は、前記スペースに挿通され、前記スペースの途中で前記第１の糸と係合して、前記生体組織外で両端が結ばれることを特徴とする。
【００１６】
また、この発明にかかるカテーテルは、前記ストッパは、前記躯体の一部が挿入される躯体挿入用穴を有し、前記固定部材は、前記躯体挿入用穴に設けられ、前記躯体の一部を把持可能である把持部材であり、前記躯体は、前記把持部材の把持部材と係合する係合部を有する先端部材が接着剤によって先端に接着されており、前記固定解除手段は、前記接着剤に紫外線または熱を供給することによって前記接着剤による前記躯体と前記先端部材との接着を解除して、前記躯体を前記先端部材から分離させることを特徴とする。
【００１７】
また、この発明にかかるカテーテルは、前記ストッパは、前記躯体の一部が挿入される躯体挿入用穴を有し、前記躯体は、内部に流体供給用の穴部が形成されており、該穴部に流体が供給されることによって前記躯体の径方向に拡張可能である拡張部材を先端に有し、前記固定部材は、前記躯体挿入用穴に設けられ、前記拡張部材を把持可能である把持部材であり、前記固定解除手段は、前記拡張部材と、前記拡張部材内部に供給される流体とを有し、前記拡張部材は、前記流体の前記穴部への供給によって前記躯体の径方向に拡張し、前記把持部材を把持方向とは逆方向に押し広げて前記把持部材の把持を解除することを特徴とする。
【００１８】
また、この発明にかかるカテーテルは、前記ストッパは、前記躯体の一部が挿入される躯体挿入用穴を有し、前記固定部材は、前記躯体挿入用穴に設けられ、前記躯体の一部を把持可能である把持部材であり、前記固定解除手段は、前記把持部材を把持方向とは逆方向に押し広げる力を供給して前記把持部材の把持を解除することを特徴とする。
【００１９】
また、この発明にかかるカテーテルは、前記ストッパは、前記躯体の一部が挿入される躯体挿入用穴を備え、前記固定部材は、前記躯体に着脱可能に設けられ、前記躯体挿入用穴の径方向に広がる弾性力を有するバネ部材であって、前記躯体挿入用穴に前記躯体の一部が挿入された場合に前記弾性力によって前記躯体挿入用穴の側面に当て付いて前記躯体の一部を前記躯体挿入用穴に固定し、前記固定解除手段は、前記バネ部材の脱離方向の力を供給して前記バネ部材を前記躯体から脱離させることによって前記バネ部材による前記躯体と前記ストッパとの固定を解除することを特徴とする。
【００２０】
また、この発明にかかるカテーテルは、前記ストッパは、前記躯体の一部が挿入される躯体挿入用穴と、前記躯体挿入用穴に設けられた突出部と、を備え、前記固定部材は、前記躯体に設けられ、前記突出部を把持可能である把持部材であり、前記固定解除手段は、前記把持部材を把持方向とは逆方向に押し広げる力を供給して前記把持部材の把持を解除することを特徴とする。
【００２１】
また、この発明にかかるカテーテルは、前記ストッパは、前記躯体の一部が挿入される躯体挿入用穴を備え、前記固定部材は、前記躯体に設けられ、前記躯体の径方向に拡張可能である拡張部材であり、前記スペースに配置され、前記拡張部材を前記躯体の径方向に拡張させる拡張制御手段をさらに備え、前記拡張部材は、前記拡張制御手段によって前記躯体の径方向に拡張することで前記躯体測定用穴の側面に当て付いて前記躯体の一部を前記躯体挿入用穴に固定し、前記拡張制御手段の前記スペースからの退避によって収縮することで前記躯体測定用穴の側面への当て付きを解除して前記躯体の一部の前記躯体挿入用穴に対する固定を解除することを特徴とする。
【００２２】
また、この発明にかかるカテーテルは、前記内部ルーメンは、前記スペースとして機能することを特徴とする。
【００２３】
また、この発明にかかるカテーテルは、前記躯体は、前記固定部材が配置する領域と前記内部ルーメンとを遮断する遮断部材を有し、前記内部ルーメンは、前記遮断部材が除去されることによって前記固定部材が配置する領域と連通して前記スペースとして機能することを特徴とする。
【００２４】
また、この発明にかかるカテーテルは、前記ストッパは、球形状をなすことを特徴とする。
【００２５】
また、この発明にかかるカテーテルは、前記穿刺針および前記躯体のそれぞれと接続する接続部をさらに備え、前記穿刺針は、前記接続部が前記躯体から取り外されることで、前記躯体から分離することを特徴とする。
【発明の効果】
【００２６】
この発明にかかるカテーテルにおいては、カテーテル本体である躯体内部には、生体組織外に連通するとともにストッパと躯体とを固定する固定部材の固定を解除するために使用されるスペースが設けられるため、このスペースを使用することによって、固定部材の固定を解除してストッパと躯体とを分離できるため、生体組織内に躯体を留置した後であっても生体組織外に容易に躯体を抜き出すことができる。
【図面の簡単な説明】
【００２７】
【図１】図１は、実施の形態１にかかるカテーテルの全体図である。
【図２Ａ】図２Ａは、図１に示すカテーテルの生体組織への穿刺および留置を説明する図である。
【図２Ｂ】図２Ｂは、図１に示すカテーテルの生体組織への穿刺および留置を説明する図である。
【図２Ｃ】図２Ｃは、図１に示すカテーテルの生体組織への穿刺および留置を説明する図である。
【図２Ｄ】図２Ｄは、図１に示すカテーテルの生体組織への穿刺および留置を説明する図である。
【図２Ｅ】図２Ｅは、図１に示すカテーテルの生体組織への穿刺および留置を説明する図である。
【図３】図３は、実施の形態１にかかるカテーテルの使用を説明する図である。
【図４Ａ】図４Ａは、図１に示すカテーテルの生体組織への穿刺および留置を説明する図である。
【図４Ｂ】図４Ｂは、図１に示すカテーテルの生体組織への穿刺および留置を説明する図である。
【図４Ｃ】図４Ｃは、図１に示すカテーテルの生体組織への穿刺および留置を説明する図である。
【図５】図５は、実施の形態１にかかるカテーテルの要部を、当該カテーテルの長手方向の中心軸に沿って切断した断面図である。
【図６】図６は、実施の形態１における先端側ストッパを、躯体の差し込み方向に沿って切断した図である。
【図７】図７は、図６のＡ矢視図である。
【図８】図８は、実施の形態１における先端側ストッパおよび躯体を、躯体の差し込み方向に沿って切断した図である。
【図９】図９は、実施の形態１における先端側ストッパの平面図である。
【図１０】図１０は、実施の形態１における先端側ストッパおよび躯体を、躯体の差し込み方向に沿って切断した図である。
【図１１】図１１は、図１０に示す切断部材の先端部の斜視図である。
【図１２】図１２は、図１０に示す切断部材の先端部の斜視図である。
【図１３】図１３は、図６に示す先端側ストッパの他の例を、躯体の差し込み方向に沿って切断した図である。
【図１４】図１４は、図１３のＢ−Ｂ線断面図である。
【図１５】図１５は、実施の形態１における他の躯体の先端を示す図である。
【図１６】図１６は、実施の形態１における他の先端側ストッパを躯体挿通穴から見た図である。
【図１７】図１７は、実施の形態１における他の躯体の先端を示す図である。
【図１８】図１８は、実施の形態１における他の躯体を、当該躯体の長手方向の中心軸に沿って切断した断面図である。
【図１９】図１９は、実施の形態１における他の躯体先端部を、当該躯体の長手方向の中心軸に沿って切断した断面図である。
【図２０】図２０は、図１９の躯体に使用する針部材およびシースを、当該針部材およびシースの長手方向の中心軸に沿って切断した断面図である。
【図２１】図２１は、図１９に示す躯体の使用方法を説明するために、当該躯体の長手方向の中心軸に沿って切断した断面図である。
【図２２】図２２は、図１９に示す躯体の使用方法を説明するために、当該躯体の長手方向の中心軸に沿って切断した断面図である。
【図２３】図２３は、図１９に示す躯体の使用方法を説明するために、当該躯体の長手方向の中心軸に沿って切断した断面図である。
【図２４】図２４は、実施の形態１の変形例１における躯体を示す図である。
【図２５】図２５は、図２４に示す躯体の先端を、躯体の長手方向の中心軸に沿って切断した断面図である。
【図２６】図２６は、図２４に示す躯体の基端側に形成された凹部を説明する図である。
【図２７】図２７は、実施の形態１の変形例１における先端側ストッパを、躯体の差し込み方向に沿って切断した図である。
【図２８】図２８は、図２４に示す躯体と図２７に示す先端側ストッパとの固定処理を説明する断面図である。
【図２９】図２９は、図２４に示す躯体と図２７に示す先端側ストッパとの固定処理を説明する断面図である。
【図３０】図３０は、実施の形態１の変形例１における先端側ストッパを糸挿通用穴から見た図である。
【図３１】図３１は、図３０に示す先端側ストッパを、躯体の差し込み方向に沿って切断した図である。
【図３２】図３２は、図３０に示す先端側ストッパを、躯体の差し込み方向に沿って切断した図である。
【図３３】図３３は、図３０に示す先端側ストッパを、躯体の差し込み方向に沿って切断した図である。
【図３４】図３４は、図３１に示す凹部上を覆うカバーの斜視図である。
【図３５】図３５は、図３４のＣ−Ｃ線断面図である。
【図３６】図３６は、図３４のＤ矢視図である
【図３７】図３７は、実施の形態１の変形例１における他の先端側ストッパを、躯体の差し込み方向に沿って切断した図である。
【図３８】図３８は、実施の形態１の変形例２における基端側ストッパを躯体の差し込み方向に沿って切断した図である。
【図３９】図３９は、実施の形態１の変形例２における他の基端側ストッパを躯体の差し込み方向に沿って切断した図である。
【図４０】図４０は、実施の形態１の変形例２における他の基端側ストッパを躯体の差し込み方向に沿って切断した図である。
【図４１】図４１は、実施の形態１の変形例３における基端側ストッパを躯体の差し込み方向に沿って切断した図である。
【図４２】図４２は、実施の形態１の変形例３における他の基端側ストッパを躯体の差し込み方向に沿って切断した図である。
【図４３】図４３は、図４２のＥ矢視図である。
【図４４】図４４は、実施の形態１の変形例３における他の基端側ストッパおよび躯体を切断した図である。
【図４５】図４５は、図４４のＦ矢視図である。
【図４６】図４６は、実施の形態１における躯体を生体組織外に抜き出す方法を説明する図である。
【図４７】図４７は、実施の形態２における先端側ストッパおよび躯体を、躯体の先端側ストッパへの差し込み方向に沿って切断した図である。
【図４８】図４８は、図４７に示す先端側ストッパを躯体挿入用穴から見た図である。
【図４９】図４９は、実施の形態２における先端側ストッパおよび躯体を、躯体の先端側ストッパへの差し込み方向に沿って切断した図である。
【図５０】図５０は、実施の形態２における基端側ストッパおよび躯体を、躯体の基端側ストッパへの差し込み方向に沿って切断した図である。
【図５１】図５１は、図５０のＧ−Ｇ線断面図である。
【図５２】図５２は、図５０に示す基端側ストッパに固定する躯体の一部を示す斜視図である。
【図５３】図５３は、実施の形態３における先端側ストッパおよび躯体を、躯体の先端側ストッパへの差し込み方向に沿って切断した図である。
【図５４】図５４は、使用前の図５３に示す先端側ストッパを躯体挿入用穴から見た図である。
【図５５】図５５は、実施の形態３における他の先端側ストッパおよび躯体を、躯体の先端側ストッパへの差し込み方向に沿って切断した図である。
【図５６】図５６は、実施の形態３における他の先端側ストッパおよび躯体を、躯体の先端側ストッパへの差し込み方向に沿って切断した図である。
【図５７】図５７は、実施の形態３における基端側ストッパおよび躯体を、躯体の先端側ストッパへの差し込み方向に沿って切断した図である。
【図５８】図５８は、実施の形態３における他の基端側ストッパおよび躯体を、躯体の先端側ストッパへの差し込み方向に沿って切断した図である。
【図５９】図５９は、実施の形態４における先端側ストッパおよび躯体の先端を、躯体の先端側ストッパへの差し込み方向に沿って切断した図である。
【図６０】図６０は、実施の形態４における先端側ストッパおよび躯体の先端を、躯体の先端側ストッパへの差し込み方向に沿って切断した図である。
【図６１】図６１は、実施の形態５における先端側ストッパを躯体の先端側ストッパへの差し込み方向に沿って切断した図である。
【図６２】図６２は、実施の形態５における躯体先端の斜視図である。
【図６３】図６３は、実施の形態５における先端側ストッパおよび躯体を躯体の先端側ストッパへの差し込み方向に沿って切断した図である。
【図６４】図６４は、実施の形態５の変形例１における先端側ストッパを躯体の先端側ストッパへの差し込み方向に沿って切断した図である。
【図６５】図６５は、実施の形態５の変形例１における躯体先端の斜視図である。
【図６６】図６６は、実施の形態５の変形例１における先端側ストッパおよび躯体を躯体の先端側ストッパへの差し込み方向に沿って切断した図である。
【図６７】図６７は、実施の形態５の変形例１における先端側ストッパおよび躯体を躯体の先端側ストッパへの差し込み方向に沿って切断した図である。
【図６８】図６８は、実施の形態５の変形例２における先端側ストッパおよび躯体先端部の斜視図である。
【図６９】図６９は、実施の形態５の変形例２における先端側ストッパおよび躯体を躯体の先端側ストッパへの差し込み方向に沿って切断した図である。
【図７０】図７０は、実施の形態５の変形例２における先端側ストッパおよび躯体を躯体の先端側ストッパへの差し込み方向に沿って切断した図である。
【図７１】図７１は、実施の形態５の変形例２における先端側ストッパおよび躯体を躯体の先端側ストッパへの差し込み方向に沿って切断した図である。
【図７２】図７２は、実施の形態５の変形例２における基端側ストッパおよび躯体先端部の斜視図である。
【図７３】図７３は、実施の形態５の変形例３における先端側ストッパおよび躯体を躯体の先端側ストッパへの差し込み方向に沿って切断した図である。
【図７４】図７４は、実施の形態５の変形例３における先端側ストッパおよび躯体を躯体の先端側ストッパへの差し込み方向に沿って切断した図である。
【図７５】図７５は、実施の形態５の変形例３における基端側ストッパおよび躯体を、躯体の長軸の中心軸に沿って切断した図である。
【図７６】図７６は、実施の形態５の変形例３における基端側ストッパおよび躯体を、躯体の長軸の中心軸に沿って切断した図である。
【図７７】図７７は、実施の形態５の変形例４における躯体先端の斜視図である。
【図７８】図７８は、実施の形態５の変形例４における先端側ストッパおよび躯体を躯体の先端側ストッパへの差し込み方向に沿って切断した図である。
【図７９】図７９は、実施の形態５の変形例４における先端側ストッパおよび躯体を躯体の先端側ストッパへの差し込み方向に沿って切断した図である。
【図８０】図８０は、実施の形態６における先端側ストッパを躯体の先端側ストッパへの差し込み方向に沿って切断した図である。
【図８１】図８１は、実施の形態６における躯体先端を躯体の長軸の中心軸に沿って切断した図である。
【図８２】図８２は、実施の形態６における躯体の使用前の状態を示す断面図である。
【図８３】図８３は、実施の形態６における先端側ストッパおよび躯体を、躯体の先端側ストッパへの差し込み方向に沿って切断した図である。
【図８４】図８４は、実施の形態６における他の躯体先端を躯体の長軸の中心軸に沿って切断した図である。
【図８５】図８５は、実施の形態６における他の躯体先端を躯体の長軸の中心軸に沿って切断した図である。
【図８６】図８６は、実施の形態７における先端側ストッパを躯体の先端側ストッパへの差し込み方向に沿って切断した図である。
【図８７】図８７は、図８６のＨ矢視図である。
【図８８】図８８は、実施の形態７における先端側ストッパおよび躯体を、躯体の先端側ストッパへの差し込み方向に沿って切断した図である。
【図８９】図８９は、実施の形態７における先端側ストッパおよび躯体を、躯体の先端側ストッパへの差し込み方向に沿って切断した図である。
【図９０】図９０は、実施の形態８における先端側ストッパを躯体の先端側ストッパへの差し込み方向に沿って切断した図である。
【図９１】図９１は、図９０のＩ−Ｉ線断面図である。
【図９２】図９２は、実施の形態８における躯体先端の斜視図である。
【図９３】図９３は、実施の形態８における先端側ストッパおよび躯体を、躯体の先端側ストッパへの差し込み方向に沿って切断した図である。
【図９４】図９４は、実施の形態８における先端側ストッパおよび躯体を、躯体の先端側ストッパへの差し込み方向に沿って切断した図である。
【図９５】図９５は、実施の形態８における他の躯体先端の斜視図である。
【図９６】図９６は、実施の形態８における他の先端側ストッパおよび躯体を、躯体の先端側ストッパへの差し込み方向に沿って切断した図である。
【図９７】図９７は、実施の形態８における基端側ストッパおよび躯体を、躯体の長軸の中心軸に沿って切断した図である。
【図９８】図９８は、実施の形態８の他の躯体を、当該躯体の長軸方向と直交する面で切断した図である。
【図９９】図９９は、実施の形態８の変形例１における躯体先端の斜視図である。
【図１００】図１００は、実施の形態８の変形例１における先端側ストッパおよび躯体を躯体の先端側ストッパへの差し込み方向に沿って切断した図である。
【図１０１】図１０１は、実施の形態における接続部材を、当該接続部材の長軸の中心軸に沿って切断した図である。
【図１０２】図１０２は、実施の形態における他の躯体先端の斜視図である。
【図１０３】図１０３は、図１０２に取り付けられる接続部材を、当該接続部材の長軸の中心軸に沿って切断した図である。
【図１０４】図１０４は、実施の形態の他の例における躯体先端、接続部材および穿刺針基端を、長軸方向の中心軸に沿って切断した図である。
【図１０５】図１０５は、図１０４に示すＪ−Ｊ線断面図である。
【発明を実施するための形態】
【００２８】
以下、図面を参照して、この発明を実施するための形態として、人間を含む哺乳動物の生体組織内に少なくとも一部導入されるカテーテルについて説明する。なお、この実施の形態によりこの発明が限定されるものではない。また、図面の記載において、同一部分には同一の符号を付している。図面は模式的なものであり、各部の寸法の関係や比率は、現実と異なることに留意する必要がある。図面の相互間においても、互いの寸法の関係や比率が異なる部分が含まれる。
【００２９】
（実施の形態１）
まず、実施の形態１について説明する。図１は、本実施の形態１にかかるカテーテルの全体図である。図１に示すように、実施の形態１にかかるカテーテル１は、穿刺針２および躯体３を備える。
【００３０】
穿刺針２は、カテーテル１の先端に配置する。穿刺針２の基端２ｂは、躯体３の先端３ａと分離可能に接続する。穿刺針２は、鋭利な先端２ａを有する。穿刺針２は、全体として湾曲した形状をなす。穿刺針２は、チタンやステンレス等の金属材料によって形成される。
【００３１】
躯体３は、柔軟な細長い管形状をなし、薬剤供給用の内部ルーメンを有する。躯体３の側面には、内部ルーメンとそれぞれ連通する側孔４が設けられる。躯体３の基端３ｂは、薬剤供給時にポンプや薬剤リザバーが接続し、基端３ｂから供給された薬剤は、内部ルーメンを経由して側孔４から吐出される。躯体３は、シリコーン、ポリウレタン、ポリ塩化ビニル、ポリエステル、ポリエチレン、ポリプロピレン、ポリテトラフルオロエチレン、ポリメタクリル酸−２−ヒドロキシエチルなど、またはこれらによって被覆された樹脂系材料によって形成される。なお、図１では、１つの側孔４を設けた躯体３について示したが、もちろん、２以上の側孔が設けられた躯体を用いてもよい。
【００３２】
次に、カテーテル１を薬剤投与対象の投与対象部位（たとえば、腫瘍）を有する臓器などの生体組織に穿刺および留置する手順について説明する。図２Ａ〜図２Ｅは、図１に示すカテーテル１の生体組織への穿刺および留置を説明する図である。
【００３３】
まず、操作者は、臓器Ｌｉの表面に穿刺針２の先端２ａを当て、穿刺針２を押して臓器に穿刺針２を先端２ａから図２Ａの矢印の方向に挿入する。続けて、操作者は、穿刺針２および躯体３の臓器Ｌｉへの挿入を進め、薬剤投与対象の腫瘍Ｃａ内に側孔４が到達するまで、穿刺針２および躯体３を臓器Ｌｉに挿入する。このとき、穿刺針２とともに躯体３の先端部分も臓器Ｌｉから突出する。
【００３４】
操作者は、図２Ｂに示すように、穿刺針２を躯体３から分離する。続いて、図２Ｃに示すように、臓器Ｌｉから突出した躯体３の先端３ａに、略球状の先端側ストッパ５を取り付ける。先端側ストッパ５は、臓器Ｌｉの表面に当接して、躯体３本体を臓器Ｌｉに留置固定する。したがって、実施の形態１においては、臓器Ｌｉ表面と先端側ストッパ５を縫合あるいは接着することなく、躯体３本体を生体組織に留置している。なお、動きの多い臓器にカテーテルを導入する場合には、躯体３の基端３ｂ側から、図２Ｄのように、略球状の基端側ストッパ６をさらに差し込んで、先端側ストッパ５との間で臓器Ｌｉを挟持するように配置して、躯体３を臓器Ｌｉに固定させてもよい。この場合も、臓器Ｌｉ表面と基端側ストッパ６を縫合あるいは接着する必要はない。また、先端側ストッパ５および基端側ストッパ６は、シリコーン、ポリウレタン、ポリ塩化ビニル、ポリエステル、ポリエチレン、ポリプロピレン、ポリテトラフルオロエチレン、ポリメタクリル酸−２−ヒドロキシエチルなど、またはこれらによって被覆された樹脂系材料によって形成される。また、先端側ストッパ５および基端側ストッパ６は、ナイロン、ステンレス鋼、コバルトクロム合金、チタン(合金)、貴金属合金などによって形成されてもよい。また、先端側ストッパ５および基端側ストッパ６は、前述した各材料のうち一つを用いて形成してもよく、複数を組み合わせて形成してもよい。また、先端側ストッパ５および基端側ストッパ６は、強固に被包化させるために前述した合金等の金属材料を少なくとも一部に使用して形成することが望ましい。
【００３５】
その後、図２Ｅに示すように、躯体３の基端３ｂには、リザバー８内に保持された薬剤Ｗを送出するポンプ７が接続される。リザバー８内の薬剤Ｗは、ポンプ７の駆動によって、躯体３の基端３ｂから躯体３の内部ルーメンに送出され、側孔４から吐出することによって臓器Ｌｉ内の腫瘍Ｃａに供給される。なお、図２Ｅにおいては、先端側ストッパ５と基端側ストッパ６とを用いた例について示す。
【００３６】
また、図３に示すように、躯体３に基端側ストッパ６を予め取り付けた状態で、図４Ａのように、薬剤投与対象の腫瘍Ｃａ内に側孔４が到達するまで、臓器Ｌｉに穿刺針２および躯体３を挿入してもよい。この場合には、図４Ｂのように、穿刺針２を躯体３から分離してから、図４Ｃのように臓器Ｌｉから突出した躯体３の先端３ａに、略球状の先端側ストッパ５を取り付ける。
【００３７】
図５に示すように、穿刺針２の基端２ｂと躯体３の先端３ａとは、穿刺針２の基端２ｂに設けられた管状の接続部材９によって接続される。この接続部材９は、たとえば接着剤によって、内側が、躯体３の先端３ａ外側に固定されている。この管状の接続部材９を鉗子等により押しつぶすと、接続部材９の基端側が塑性変形し、接着剤を躯体３の先端３ａ外側から剥離させることができる。この状態で、接続部材９を穿刺針２ごと引き抜くことによって穿刺針２と躯体３が分離される。なお、躯体３は、穿刺による組織の損傷を最小限にするため、十分に細い外径を有する。また、躯体３の内部には、前述した内部ルーメン３ｃが形成される。躯体３の先端３ａは、薬剤の漏れを防ぐため、図５のように閉じていることが望ましい。
【００３８】
実施の形態１においては、躯体３が、先端側ストッパ５、もしくは先端側ストッパ５および基端側ストッパ６によって生体組織内に留置された後であっても、先端側ストッパ５および基端側ストッパ６から躯体３を取り外して生体組織外に抜き出すことができる。
【００３９】
まず、先端側ストッパ５について説明する。図６は、先端側ストッパ５を、躯体３の差し込み方向に沿って切断した図である。図７は、図６のＡ矢視図である。
【００４０】
図６に示すように、先端側ストッパ５は、略球形状である。このため、生体組織に接触する面は、いずれも全て一様になだらかな曲面であり、生体組織面と先端側ストッパ５外面との接触角は経時的にほぼ一定であるため、先端側ストッパ５の形状に起因して先端側ストッパ５による固定がずれることがなく、生体組織内に導入後に躯体３がずれることや、躯体３が屈曲して薬剤を送液できなくなることはない。
【００４１】
先端側ストッパ５においては、略球形状の本体５ａに、躯体３先端が挿入される躯体挿入用穴５ｂが形成されている。躯体挿入用穴５ｂは、開口部から本体５ａ内部に向かって延伸するように形成される。躯体挿入用穴５ｂは、本体５ａの中心に向かって延伸することが望ましい。図６では、躯体挿入用穴として、本体５ａを貫通していない場合を例に示すが、躯体３の先端３ａが挿入できれば足りるため、本体５ａを貫通してもよい。
【００４２】
そして、本体５ａには、躯体挿入用穴５ｂに交差して連通する糸挿通用穴５ｃが形成される。この糸挿通用穴５ｃは、先端側ストッパ５と躯体３の先端３ａとを固定させるために使用される糸が挿通される。図６に示す例では、この糸挿通用穴５ｃは、躯体挿入用穴５ｂに直交するとともに本体５ａの略中心を貫通するように形成される。糸挿通用穴５ｃに糸を挿入しやすいように、糸挿通用穴５ｃの内径よりも広い径の開口部５ｄを形成し、開口部５ｄから本体５ａ内部に向かって狭くなるように傾斜５ｅを設けている。
【００４３】
この先端側ストッパ５に躯体３を接続するには、図８に示すように、躯体３の先端３ａを躯体挿入用穴５ｂに挿入し、躯体挿入用穴５ｂ底部に当たるまで押し入れる。なお、躯体挿入用穴５ｂが本体５ａを貫通している場合には、先端側の開口面と一致する程度まで躯体３を躯体挿入用穴５ｂに押し込めばよい。
【００４４】
続いて、針１１ａが先端に付いた糸１１を糸挿通用穴５ｃの一方の開口部５ｄから挿入し、躯体３の内部ルーメン３ｃを通るように躯体３に糸１１を貫通させて、貫通後に糸挿通用穴５ｃの他方の開口部５ｄから糸１１の先端を引き出す。糸１１は、たとえば、図８に示すように、内部ルーメン３ｃが延伸する方向と直交した方向で内部ルーメン３ｃに貫通する。その後、先端の針１１ａを糸１１本端から分離し、先端側ストッパ５の糸挿通用穴５ｃの両方の開口部５ｄから出ている糸１１を、図９に示すように、ストッパ外表面に沿わせるようにして結ぶ。
【００４５】
このように、糸１１は、躯体挿入用穴５ｂに挿入される躯体３の内部ルーメン３ｃ形成部位を、糸挿通用穴５ｃを介して貫通した後に、先端側ストッパ５外部に引き出されて両端が結ばれることによって、先端側ストッパ５を躯体３に固定する。
【００４６】
先端ストッパ５と躯体３との固定を解除する場合には、図１０に示すように、躯体３内部の内部ルーメン３ｃに、内部ルーメン３ｃを貫通する糸１１を切断する切断部材１２を先端３ａまで挿入して、切断部材１２で糸１１を切断すればよい。この結果、先端側ストッパ５の躯体挿入用穴５ｂから躯体３を抜き出すことができる。内部ルーメン３ｃは、生体組織外に連通し、糸１１の固定を解除するために使用されるスペースとして機能する。
【００４７】
切断部材１２は、たとえばワイヤなどの柔軟な素材で構成されており、図１１に示すように、先端に刃１２ａが設けられている。切断部材１２の全体の長さは、躯体３全体の長さよりも長く、切断部材１２の外径は、内部ルーメン３ｃの内径よりも小さい。なお、切断部材は、糸１１を切断できれば足りるため、図１２の切断部材１２Ａに示すように、高周波Ｌａを先端１２ｂから出力して糸１１を切断できるものであってもよい。また、切断部材は、先端からレーザ光を出力して糸１１を切断できるものであってもよい。
【００４８】
このように、実施の形態１にかかるカテーテル１においては、糸１１を用いて、先端側ストッパ５および躯体３の先端３ａを適切に固定できる。さらに、実施の形態１にかかるカテーテル１においては、生体組織内に躯体３を留置した後であっても、内部ルーメン３ｃに切断部材１２あるいは切断部材１２Ａを配置して糸１１を切断するだけで、躯体３を先端側ストッパ５から分離できるため、躯体３を生体組織外に容易に抜き出すことができる。
【００４９】
なお、図１３は、図６に示す先端側ストッパの他の例を、躯体３の差し込み方向に沿って切断した図である。図１４は、図１３のＢ−Ｂ線断面図である。先端側ストッパの本体が柔らかく、糸１１によって切込みが入るなどの損傷が予想されるときは、図１３および図１４に示す先端側ストッパ５１のように、糸挿通用穴５ｃを含む中央部分５１ｅを、本体５１ａよりも硬い別材料で形成すればよい。
【００５０】
また、図１３および図１４の躯体３１に示すように、先端３１ａに予め糸挿通用の穴３１ｄを形成してもよい。さらに、躯体３１に糸挿通用の穴３１ｄを形成した場合に糸１１によって切込みが入るなどの損傷が予想されるときには、糸挿通用の穴３１ｄを含む先端部分３１ｅを、躯体３１本体よりも硬い別材料で形成すればよい。さらに、躯体３１の糸挿通用の穴３１ｄの直径を先端ストッパ５１の糸挿通用穴５ｃの直径よりも大きくすることにより、穴３１ｄと糸挿通用穴５ｃの位置が合わせやすくなり、作業性が向上する。
【００５１】
図１５は、実施の形態１における他の躯体の先端を示す図である。図１６は、実施の形態１における他の先端側ストッパを躯体挿通穴から見た図である。図１５に示すように、躯体３２の先端３２ａには、糸挿通用の穴３２ｄとともに、Ｄカット３２ｆが形成される。そして、図１６の先端側ストッパ５２の躯体挿通用穴５２ｃには、躯体３２のＤカット３２ｆの段差３２ｇと嵌合するように、凸部５２ｆが形成される。この結果、躯体３２の先端３２ａと先端側ストッパ５２（図１６参照）の躯体挿通用穴５２ｃとの方向を糸挿通用穴５ｃに対応する向きに一致させることができる。また、図１７の躯体３３に示すように、躯体３３と先端側ストッパ５の躯体挿通用穴５ｂとの方向を糸挿通用穴５ｃに対応する向きに一致させるためのマーカ３３ｈを先端３３ａに設けてもよい。
【００５２】
また、実施の形態１では、内部ルーメンが切断部材１２，１２Ａを配置するスペースとしても機能する場合を例に説明したが、もちろん、図１８の躯体３４のように、薬剤供給用のルーメン３４ｃ１と、切断部材１２あるいは切断部材１２Ａを配置するためのルーメン３４ｃ２（スペース）とを別個に形成してもよい。
【００５３】
また、図１９の躯体３５に示すように、薬液供給用の内部ルーメン３ｃの先端３５ａに、糸１１が貫通する領域３５ｃと内部ルーメン３ｃとを遮断する遮断壁３５ｉを設けてもよい。この躯体３５を先端側ストッパから抜き出すには、まず、図２０に示すように、躯体３５が損傷するのを防ぐために管状のシース１３内に、鋭利な先端１４ａを有する針部材１４を収納した状態で、針部材１４を遮断壁３５ｉに当たるまで内部ルーメン３ｃに挿入し、図２１に示すように、シース１３の先端１３ａから針部材１４の先端１４ａを突出させて遮断壁３５ｉを切り裂く。この場合、針部材１４のシース１３からの突出量を規定するためのマーカ等をシース１３の基端１３ｂ側および針部材１４の基端１４ｂ側に設けておくとよい。続いて、図２２に示すように、シース１３内部に針部材１４を収納してから、シース１３ごと針部材１４を躯体３５内部から抜き出し、図２３に示すように、切断部材１２を内部ルーメン３ｃ内に挿入して、躯体３５先端を貫通する糸１１を切断すればよい。もちろん、切断部材１２を用いずに、そのまま針部材１４の先端１４ａで糸１１を切断してもよい。また、針部材１４で遮断壁３５ｉを切り裂いた後、シース１３をさらに先端側に押し込み、針部材１４だけを抜いてもよい。これにより切り裂かれた遮断壁３５ｉが切断部材１２の挿入を妨げることがなくなり、切断部材１２の挿入が容易になる。
【００５４】
（実施の形態１の変形例１）
次に、実施の形態１の変形例１について説明する。図２４は、実施の形態１の変形例１における躯体を示す図である。図２５は、図２４に示す躯体の先端を、躯体の長手方向の中心軸に沿って切断した断面図である。図２６は、図２４に示す躯体の基端側に形成された凹部を説明する図である。
【００５５】
図２４〜図２６に示すように、実施の形態１の変形例１における躯体３６は、基端３６ｂから延伸した薬剤供給用の内部ルーメン３ｃと、内部ルーメン３ｃの両側に形成された躯体側糸１５が挿通される２本の糸挿通用ルーメン３６ｊ１，３６ｊ２（スペース）とを有する。躯体３６は、先端３６ａに凹部３６ｋを有する。生体組織外に位置する基端３６ｂ側には、凹部３６ｄが形成される。糸挿通用ルーメン３６ｊ１，３６ｊ２は、凹部３６ｄに設けられた２つの開口部３６ｊ３，３６ｊ４から躯体３６の先端３６ａまで延伸するように形成されており、内部ルーメン３ｃを中心として対向する位置に２本配置される。躯体用糸１５の先端は、糸挿通用ルーメン３６ｊ１の一方の開口部３６ｊ３から挿通し、躯体３６の先端３６ａから一度外部に出てから、もう一方の糸挿通用ルーメン３６ｊ２を挿通して、他方の開口部３６ｊ４から突出する。躯体用糸１５の両端は、躯体３６基端側の凹部においてカシメ部材３６ｎなどを用いてかしめられ、閉ループを形成する。なお、糸挿通用ルーメン３６ｊ１，３６ｊ２の開口部３６ｊ３，３６ｊ４は、生体組織内と連通するため、躯体３６の基端３６ｂ側の凹部３６ｄは、開口部３６ｊ３，３６ｊ４を外界空気と遮断するために、カバー３６ｍで覆われる（図２４参照）。
【００５６】
続いて、実施の形態１の変形例１における先端側ストッパについて説明する。図２７は、実施の形態１の変形例１における先端側ストッパを、躯体の差し込み方向に沿って切断した図である。
【００５７】
図２７に示すように、実施の形態１の変形例１における先端側ストッパ５６は、略球形状の本体５６ａに、躯体３６の先端３６ａが挿入される躯体挿入用穴５６ｂと、躯体挿入用穴５６ｂの延伸方向と略平行に形成され、躯体挿入用穴５６ｂと連通する２本の糸挿通用穴５６ｆとが設けられる。２本の糸挿通用穴５６ｆは、躯体挿通用穴５６ｂの開口とは別の領域に開口するように形成される。なお、２本の糸挿通用穴５６ｆは、図２７のように、それぞれが必ずしも対向していなくともよい。
【００５８】
この先端側ストッパ５６に躯体３６の先端３６ａを固定する処理について図２７〜図２９を参照して説明する。図２８および図２９は、図２４に示す躯体３６と図２７に示す先端側ストッパとの固定処理を説明する図である。
【００５９】
まず、図２７に示すように、この糸挿通用穴５６ｆの一方に、先端に糸通し１１ｄに接続する第１の糸である糸１１が挿通して、躯体挿通用穴５６ｂから、糸１１の先端を突出させる。続いて、図２８に示すように、糸１１を、糸通し１１ｄで躯体３６の先端３６ａの躯体用糸１５に係合させて、先端側ストッパ５６の他方の糸挿通用穴５６ｆを経由して、先端側ストッパ５６の外表まで引き出す。すなわち、糸１１の先端は、躯体挿通用穴５６ｂの開口とは別の領域から引き出される。図２９に示すように、躯体３６の先端３６ａを、躯体挿通用穴５６底部に当たるまで躯体挿通用穴５６ｂに挿入後、先端側ストッパ５６外表に出ている糸１１の両端を結んで固定する。
【００６０】
したがって、躯体用糸１５は、糸挿通用ルーメン３６ｊ１に挿通され、糸層通用ルーメン３６ｊ１，３６ｊ２の先端開口部の間で、躯体挿入用穴５６ｂに挿入された糸１１と係合して、再度、糸挿通用ルーメン３６ｊ２に挿通されて、生体組織外に引き出された後に両端が結ばれることとなる。
【００６１】
先端側ストッパ５６と躯体３６との固定を解除する場合には、生体組織外に位置する躯体３６の基端３６ｂ側のカバー３６ｍを外して、凹部３６ｄに位置する躯体用糸１５を切断するだけでよい。すなわち、実施の形態１の変形例１においては、生体組織外に位置する躯体用糸１５を切断するという簡易な作業を行うだけで、躯体３６を先端側ストッパ５６から分離して生体組織外に抜き出すことができる。
【００６２】
なお、図２５に示すように躯体３６の先端３６ａに設けられた凹部３６ｋは、糸１１を躯体用糸１５にかけやすくするために形成されている。
【００６３】
また、実施の形態１の変形例１においては、図３０〜３３に示す形状の先端側ストッパを用いてもよい。図３０は、実施の形態１の変形例１における先端側ストッパを糸挿通用穴５６ｆから見た図である。図３１〜図３３は、図３０に示す先端側ストッパを、躯体３の差し込み方向に沿って切断した図である。
【００６４】
この場合、図３０および図３１の先端側ストッパ５７に示すように、糸挿通用穴５６ｆの開口領域に凹部５７ｇを設け、躯体用糸１５に引っ掛かった後に先端側ストッパ５６の外表まで引き出された糸１１の両端を、鉗子Ｋ等（図３２参照）を用いて、図３３に示すように、カシメ部材５７ｈでかしめて固定する。このとき、先端側ストッパ５７の外表面をなだらかにするため、凹部５７ｇをカバー５７ｉ（図３４参照）で覆ってもよい。カバー５７ｉの内側には、図３４のＣ−Ｃ線断面図である図３５、および、図３４のＤ矢視図である図３６に示すように、カシメ部材５７ｈ等を格納する凹部５７ｊが形成される。
【００６５】
また、実施の形態１の変形例１においては、図３７に示すように、躯体用糸１５を引っ掛けるためのフック部５８ｋを本体５８ａの躯体挿入用穴５８ｂ内に設けた先端側ストッパ５８を用いてもよい。
【００６６】
（実施の形態１の変形例２）
実施の形態１の変形例２として、基端側ストッパ６について説明する。図３８は、実施の形態１の変形例２における基端側ストッパを躯体の差し込み方向に沿って切断した図である。
【００６７】
図３８に示すように、基端側ストッパ６においては、略球形状の本体６ａに、本体６ａ中心を通って本体６ａを貫通する躯体挿入用穴６ｂが形成されている。躯体３の外径と基端側ストッパ６の躯体挿入用穴６ｂの内径とは、すきまがある状態であり、躯体挿入用穴６ｂの内側にＯリング６ｃを配置して、摺動抵抗を付与している。躯体３の一部を基端側挿入用穴６ｂに挿入すると、Ｏリング６ｃによって躯体３外表面が基端側ストッパ６内部に固定され、ある程度の力（たとえば４Ｎ以上）をかけなければ、躯体３は基端側ストッパ６から抜けない。
【００６８】
なお、Ｏリング６ｃを設けるほか、躯体３の外径と基端側ストッパ６の躯体挿入用穴６ｂの内径とは、すきまがない状態として、接触面積で摺動摩擦を制御してもよい。たとえば、図３９の基端側ストッパ６Ａのように、躯体挿入用穴６ｂの内表面にシリコンコーティング６ｄをさらに施し、摺動性を向上させてもよい。低硬度のシリコンコーティング６ｄを施し、シリコンコーティング６ｄが躯体３によって軽く押圧される程度に密着させることにより摺動抵抗を向上させてもよい。また、図４０の基端側ストッパ６Ｂのように、躯体挿入用穴６ｂの内表面を粗面６ｅ化させて、摺動抵抗を大きくして、躯体３が基端側ストッパ６から抜けないようにしてもよい。
【００６９】
（実施の形態１の変形例３）
実施の形態１の変形例３における基端側ストッパについて説明する。図４１は、実施の形態１の変形例３における基端側ストッパを躯体の差し込み方向に沿って切断した図である。
【００７０】
図４１に示すように、実施の形態１の変形例３における基端側ストッパ６１においては、略球形状の本体６１ａに、躯体挿入用穴６１ｂに直交して連通する糸挿通用穴６１ｃが形成される。この糸挿通用穴６１ｃは、図６に示す糸挿通用穴５ｃと同様に、基端側ストッパ６１と躯体３の一部とを固定させるために使用される糸が挿通されるものであり、糸挿通用穴６１ｃに糸を挿入しやすいように、糸挿通用穴６１ｃの内径よりも広い径の開口部６１ｄが形成される。
【００７１】
この基端側ストッパ６１に躯体３を接続するには、躯体３の一部を図４１のように、躯体挿入用穴６１ｂに貫通させた後、糸挿通用穴６１ｃを経由して、躯体３の内部ルーメン３ｃを通るように躯体３に糸を貫通させてから、基端側ストッパ６１外部に引き出し、基端側ストッパ６１の外表面に沿わせるようにして糸の両端を結べばよい。また、基端側ストッパ６１と躯体３との固定を解除する場合には、スペースとして機能する躯体３内部の内部ルーメン３ｃに、内部ルーメン３ｃを貫通する糸を切断する前述した切断部材１２，１２Ａを挿入して、切断部材で糸を切断すればよい。その後、基端側ストッパ６の躯体挿入用穴５ｂから躯体３を抜き出すことができる。
【００７２】
なお、図４２の基端側ストッパ６２に示すように、躯体挿入用穴で二つの部材６２Ａ，６２Ｂに分離してもよい。図４３は、図４２に示す一方の部材６２ＡのＥ矢視図である。二つの部材６２Ａ，６２Ｂに分離した場合には、躯体挿入用穴の軸をあわせやすいように、それぞれの部材６２Ａ，６２Ｂに、突起６２Ａｅ，６２Ｂｅ、および、各突起６２Ａｅ，６２Ｂｅに対向する位置に凹部６２Ａｆ，６２Ｂｆを設けて、位置決めを行なえばよい。
【００７３】
また、図４４および図４５に示す基端側ストッパ６３および躯体３８を用いてもよい。図４４は、実施の形態１の変形例３における他の基端側ストッパおよび躯体を切断した図である。図４５は、図４４のＦ矢視図である。図４４および図４５に示すように、基端側ストッパ６３は、本体６３ａに、躯体層通用孔６３ｂおよび糸挿通用穴６１ｃとともに、糸挿通用穴６１ｃに挿通された糸１１の両端をそれぞれ躯体３８に向かって誘導する２本の糸誘導用穴６３ｇがさらに形成される。また、躯体３８には、基端側ストッパに挿入される近傍領域に開口３８ｍ１を有し躯体３８の基端部まで延伸する２本の糸挿通用ルーメン３８ｍがさらに形成される。
【００７４】
糸１１は、躯体挿入用穴６１ｂに挿入された躯体３８を糸挿通用穴６１ｃを介して貫通してから、両端がそれぞれ、糸誘導用穴６３ｇを経由して基端側ストッパ６３外に引き出される。そして、糸１１の両端は、躯体３８の開口３８ｍ１からそれぞれ躯体３８の糸挿通用ルーメン３８ｍに挿通して、躯体３８の基端側、すなわち、生体組織外において結ばれることによって、基端側ストッパ６３と躯体３８の一部とを固定する。また、基端側ストッパ６３と躯体３８との固定を解除する場合には、生体組織外にある躯体３８の基端側で結ばれた糸１１を切断するだけでよい。
【００７５】
また、本実施の形態においては、図４６に示すように、躯体３を生体組織外に抜き出すときに、回収シース１６を用いてもよい。具体的には、躯体３を内部に収納しながら、回収シース１６を生体内に矢印のように押し込む。このとき、回収シース１６の先端１６ａが、臓器Ｌｉ表面に接触するまで回収シース１６を押し込むことが望ましい。なお、Ｘ線検査などで回収シース１６の先端１６ａの位置が確認できるように、回収シース１６の先端１６ａにマーカを設けてもよい。その後、先端側ストッパ５と躯体３の固定を解除し、躯体３を臓器Ｌｉから引き抜く。この場合、躯体３は、回収シース１６内に収納される。続いて、躯体３を臓器Ｌｉから完全に抜き出し、抜き出した躯体３全てを回収シース１６内に収納した後に、回収シース１６ごと躯体３を生体組織外に抜き出す。
【００７６】
このように、回収シース１６内部に躯体３を収納した状態で躯体３を生体組織外に抜き出すことによって、患部である腫瘍Ｃａ等に直接接した躯体３の外表面が露出することなく回収できる。特に癌などのように播種が懸念される疾病の際に抜去時の安全性を高めることができる。
【００７７】
（実施の形態２）
次に、実施の形態２について説明する。実施の形態２においては、磁石による磁力を用いて、ストッパと躯体とを固定する場合について説明する。
【００７８】
図４７は、実施の形態２における先端側ストッパおよび躯体を、躯体の先端側ストッパへの差し込み方向に沿って切断した図である。図４８は、図４７に示す先端側ストッパを躯体挿入用穴から見た図である。
【００７９】
図４７および図４８に示すように、実施の形態２における先端側ストッパ２０５は、略球形状の本体２０５ａに、躯体２０３の先端２０３ａが挿入される躯体挿入用穴２０５ｂが形成されている。躯体挿入用穴２０５ｂの底部には、永久磁石２０５ｃが設けられている。実施の形態２における躯体２０３は、先端２０３ａには、金属などの常磁性体２０３ｄが埋め込まれている。
【００８０】
この躯体２０３の先端２０３ａが、先端側ストッパ２０５の躯体挿入用穴２０５ｂに挿入され、躯体挿入用穴２０５ｂ底部に当たるまで押し入れられると、永久磁石２０５ｃと常磁性体２０３ｄとの引力によって、先端側ストッパ２０５の躯体挿入用穴２０５ｂに躯体２０３の先端２０３ａが固定される。
【００８１】
先端側ストッパ２０５と躯体２０３との固定を解除する場合には、図４９のように、固定解除部材２１２を、スペースとして機能する内部ルーメン３ｃの先端２０３ａまで挿入する。固定解除部材２１２は、本体がワイヤなどの柔軟な素材で構成されており、永久磁石２０５ｃよりも強い引力を発生させる永久磁石２１２ｂが先端２１２ａに設けられている。この結果、固定解除部材２１２の永久磁石２１２ｂによって、躯体２０３の常磁性体２０３ｄの磁化の極性が変化し、先端側ストッパ２０５の永久磁石２０５ｃとの間に発生する反力によって、先端側ストッパ２０５と躯体２０３とが分離可能となる。
【００８２】
この実施の形態２のように永久磁石を利用した場合も、先端側ストッパ２０５と躯体２０３の先端２０３ａとを適切に固定できるとともに、躯体６０３内部に固定解除部材２１２を挿入するだけで躯体２０３を先端側ストッパ２０５から分離して生体組織外に抜き出すことができる。
【００８３】
なお、先端側ストッパ２０５と同様に、永久磁石を用いて基端側ストッパを構成してもよい。図５０は、実施の形態２における基端側ストッパおよび躯体を、躯体の基端側ストッパへの差し込み方向に沿って切断した図である。図５１は、図５０のＧ−Ｇ線断面図である。
【００８４】
図５０および図５１に示すように、実施の形態２における基端側ストッパ２０６は、略球形状の本体２０６ａに、本体２０６ａ中心を通って本体２０６ａを貫通する躯体挿入用穴２０６ｂが形成されている。躯体挿入用穴２０６ｂの側面の一部には、永久磁石２０６ｃが形成される。躯体２０３１は、基端側ストッパ２０６の挿入部の外表面にリング状の常磁性体２０３１ｄが形成される。
【００８５】
躯体２０３１の常磁性体２０３１ｄ形成部分が、基端側ストッパ２０６の躯体挿入用穴２０６ｂに挿入されると、永久磁石２０６ｃと常磁性体２０３１ｄとの引力によって、基端側ストッパ２０６の躯体挿入用穴２０６ｂに躯体２０３１が固定される。
【００８６】
基端側ストッパ２０６と躯体２０３１との固定を解除する場合には、図５２に示すように、永久磁石２０６ｃよりも強い引力を発生させる永久磁石２１２１ｂが部材の中途に設けられた固定解除部材２１２１を、先端２１２１ａから内部ルーメン３ｃに挿入し、永久磁石２１２１ｂが基端側ストッパ２０６内に位置するまで押し入れる。この結果、躯体２０３１の常磁性体２０３１ｄの磁化の極性が変化し、基端側ストッパ２０６の永久磁石２０６ｃとの間に発生する反力によって、基端側ストッパ２０６と躯体２０３１とが分離可能となる。
【００８７】
（実施の形態３）
次に、実施の形態３について説明する。実施の形態３においては、接着剤を用いて、ストッパと躯体とを固定する場合について説明する。
【００８８】
図５３は、実施の形態３における先端側ストッパおよび躯体を、躯体の先端側ストッパへの差し込み方向に沿って切断した図である。図５４は、使用前の図５３に示す先端側ストッパを躯体挿入用穴から見た図である。
【００８９】
図５３に示すように、実施の形態３における先端側ストッパ３０５は、略球形状の本体３０５ａに、躯体３の先端３ａが挿入される躯体挿入用穴３０５ｂが形成されている。躯体挿入用穴３０５ｂの底部には、紫外線硬化型の接着剤３０５ｃが塗布されている。
【００９０】
使用前において、先端側ストッパ３０５の躯体挿入用穴３０５ｂの開口には、接着剤３０５ｃの乾燥を防止するためのシール３０５ｄ（図５４参照）が貼られている。先端側ストッパ３０５使用時には、このシール３０５ｄを剥がしてから、躯体３の先端３ａを躯体挿入用穴３０５ｂの底部に当たるまで挿入する。続いて、紫外線照射部材３１２を内部ルーメン３ｃの先端３ａまで挿入し、先端３１２ａから紫外線を出力することによって、接着剤３０５ｃを短時間で硬化させる。ワイヤなどの柔軟な素材で構成されており、この結果、先端用ストッパ３０５の躯体挿入用穴３０５ｂ底部と躯体３の先端３ａとが接着し、先端側ストッパ３０５に躯体３の先端３ａが固定される。
【００９１】
先端側ストッパ３０５と躯体３との固定を解除する場合には、再度、紫外線照射部材３１２を、スペースとして機能する内部ルーメン３ｃに挿入して紫外線を出力することによって、接着剤３０５ｃを劣化させる。この結果、先端側ストッパ３０５と躯体３とが分離可能となる。
【００９２】
この実施の形態３のように接着剤３０５ｃを利用した場合も、先端側ストッパ３０５と躯体３の先端３ａとを適切に固定できるとともに、躯体３内部に紫外線照射部材３１２を挿入するだけで、躯体３を先端側ストッパ３０５から分離して生体組織外に抜き出すことができる。
【００９３】
なお、実施の形態３においては、躯体３の生体組織導入前から、躯体３の先端３ａに先端側ストッパ３０５を取り付け、躯体３の基端側に穿刺針２を配置した状態で、躯体３の基端側から生体組織に導入してもよい。
【００９４】
また、接着剤は、紫外線硬化型のものに限らず、感圧型のものであってもよい。この場合には、躯体３の先端３ａの躯体挿入用穴３０５ｂの底部への当て付け作業によって、先端側ストッパ３０５と躯体３の先端３ａとが短時間で固定される。また、接着剤は、吸湿硬化型のものであってもよい。この場合には、周囲の生体組織の湿度環境によって、短時間での接着剤の硬化が期待できる。そして、いずれの場合も、躯体３の抜き出し時には、紫外線照射部材３１２から紫外線を出力することによって接着剤を劣化させて先端側ストッパ３０５と躯体３の先端３ａとの固定を解除するほか、高周波あるいはレーザ光を出力する部材を内部ルーメン３ｃに挿入し、高周波あるいはレーザ光による熱によって、躯体３の接着部分を焼ききることによって、先端側ストッパ３０５と躯体３の先端３ａとの固定を解除してもよい。
【００９５】
また、図５５の基端側ストッパ３０５１に示すように、収縮しにくい外部被覆部材３０５１Ａと、紫外線あるいは熱によって収縮する材料で形成した内部部材３０５１Ｂとによって本体部を形成してもよい。外部被覆部材３０５１Ａは、躯体３に固定せず、躯体３の抜去を疎外しない程度に躯体３外表面と接する。
【００９６】
紫外線によって収縮する材料で内部部材３０５１Ｂを形成した場合には、紫外線照射部材３１２を内部ルーメン３ｃに挿入して紫外線を照射すればよい。また、熱によって収縮する材料で内部部材３０５１Ｂを形成した場合には、高周波あるいはレーザ光を出力する部材を内部ルーメン３ｃに挿入し、高周波あるいはレーザ光を出力して熱を与えればよい。この結果、図５６のように、内部部材３０５１Ｂが収縮し、躯体３の先端３ａから、先端側ストッパ３０５１の接着剤３０５ｃが剥離するため、先端側ストッパ３０５と躯体３の先端３ａとが分離可能となる。
【００９７】
また、実施の形態３は、基端側ストッパにも適用可能である。図５７は、実施の形態３における基端側ストッパおよび躯体を、躯体の先端側ストッパへの差し込み方向に沿って切断した図である。
【００９８】
図５７に示すように、実施の形態３における基端側ストッパ３０６は、略球形状の本体３０６ａに、本体３０６ａ中心を通って本体３０６ａを貫通する躯体挿入用穴３０６ｂが形成されている。躯体挿入用穴３０６ｂの内側面には、接着剤３０６ｃと同様の接着剤３０６ｃが塗布されている。なお、使用前において、基端側ストッパ３０６の躯体挿入用穴３０６ｂの両方の開口には、接着剤３０６ｃの乾燥を防止するためのシール（図示しない）が貼られている。
【００９９】
躯体３の一部が躯体挿入用穴３０６ｂに挿入され、紫外線照射部材３１２を内部ルーメン３ｃに挿入し、先端３１２ａから紫外線を出力することによって、接着剤３０５ｃを短時間で硬化させると、基端用ストッパ３０６の躯体挿入用穴３０６ｂ内側面と躯体３の外表面とが接着し、基端側ストッパ３０６に躯体３が固定される。
【０１００】
基端側ストッパ３０６と躯体３との固定を解除する場合には、再度、紫外線照射部材３１２を内部ルーメン３ｃに挿入して紫外線を出力することによって、接着剤３０５ｃを劣化させればよい。もちろん、接着剤３０６ｃは、前述した先端側ストッパと同様に、紫外線硬化型のものに限らず、感圧型のものであってもよく、吸湿硬化型のものであってもよい。
【０１０１】
また、図５８の基端側ストッパ３０６１に示すように、収縮しにくい外部被覆部材３０６１Ａと、紫外線あるいは熱によって収縮する材料で形成した内部部材３０６１Ｂとによって構成される略球形状の本体３０６１ａに、躯体３ａが挿入される躯体挿入用穴３０６１ｂを形成してもよい。この場合、先端側ストッパ３０５１と同様に、紫外線または熱を与えて内部部材３０６１Ｂを収縮させることによって、躯体３から、基端側ストッパ３０６１の接着剤３０６ｃを剥離させて、基端側ストッパ３０６１と躯体３とを分離できるようにすればよい。
【０１０２】
（実施の形態４）
次に、実施の形態４について説明する。図５９および図６０は、実施の形態４における先端側ストッパおよび躯体の先端を、躯体の先端側ストッパへの差し込み方向に沿って切断した図である。図５９は、各部材の分解図である。図６０は、完成図である。
【０１０３】
図５９および図６０に示すように、実施の形態４における躯体４０３は、内部ルーメン３ｃとともに、ワイヤ挿通用ルーメン４０３ｄが内部に形成される構成を有する。ワイヤ挿通用ルーメン４０３ｄは、躯体４０３の先端４０３ａと、生体組織外に位置する躯体４０３の基端４０３ｂ側側面とにおいて開口する。ワイヤ挿通用ルーメン４０３ｄには、ワイヤ４１６が挿通される。ワイヤ４１６は、ワイヤ挿通用ルーメン４０３ｄよりも長くなるように長さが設定され、ワイヤ４１６は、先端４１６ａがワイヤ挿通用ルーメン４０３ｄの先端４０３ａ側開口に位置し、基端４１６ｂが、ワイヤ挿通用ルーメン４０３ｄの基端４０３ｂ側側面の開口から引き出されている。
【０１０４】
躯体４０３の先端４０３ａの外面には、押さえ管４１７が嵌められる。躯体４０３の先端部の外径は、押さえ管４１７の内径と同径となるように肉厚が薄くなっており、押さえ管４１７は、躯体４０３の外径と同じ外径を有する。押さえ管４１７は、躯体４０３の径方向への広がりを防止するため、躯体４０３よりも硬い材料によって形成される。
【０１０５】
先端側ストッパ４０５は、略球形状の本体４０５ａに、押さえ管４１７が嵌まった状態の躯体４０３の先端４０３ａが挿入される躯体挿入用穴４０５ｂが形成されている。各部材が抜けないように、押さえ管４１７の内側面と躯体４０３の外側面との摩擦力は、押さえ管４１７の外側面と先端側ストッパ４０５の躯体挿入用穴４０５ｂの側面との摩擦力よりも大きい。また、躯体４０３の基端４０３ｂ方向の所定量の力（たとえば４Ｎ程度）が躯体４０３に与えられても、躯体４０３が先端側ストッパ４０５の躯体挿入用穴４０５ｂから抜けないように、各部材間の摩擦力が設定される。
【０１０６】
躯体挿入用穴４０５ｂの底面には、弾性部材４１９の基端４１９ｂが固定部材４０５ｃによって固定される。弾性部材４１９の先端４１９ａには、弾性部材４１９に比べ断面積が大きいボール部材４１８が接続する。ボール部材４１８は、弾性部材４１９の弾性力によって、躯体４０３の先端４０３ａ方向に付勢されている。
【０１０７】
ボール部材４１８の外径は、躯体４０３のワイヤ挿通用ルーメン４０３ｄの先端４０３ａの開口径よりもわずかに小さい。ワイヤ４１６とボール部材４１８とは、図６０に示すように、躯体４０３のワイヤ挿通用ルーメン４０３ｄの先端側内側面と接触した状態で躯体４０３内に配置されている。ボール部材４１８は、ワイヤ４１６とともに配置されることによって、ワイヤ挿通用ルーメン４０３ｄの先端４０３ａ側の段差４０３ｆに引っ掛かった状態となっている。躯体４０３の基端４０３ｂ方向の所定量の力（たとえば４Ｎ程度）が躯体４０３に与えられても、ワイヤ４１６とボール部材４１８とが躯体４０３のワイヤ挿通用ルーメン４０３の開口４０３ｅ１ｄから抜け出ないように、ボール部材４１８とワイヤ挿通用ルーメン４０３ｄの側面との摩擦力、および、ワイヤ４１６とワイヤ挿通用ルーメン４０３ｄの側面との摩擦力との摩擦力が設定される。
【０１０８】
図６０に示すように、先端側ストッパ４０５と躯体４０３を固定するには、まず、ワイヤ４１６を躯体４０３のワイヤ挿通用ルーメン４０３ｄ内に配して、ボール部材４１８を躯体４０３の先端４０３ａからワイヤ層通用ルーメン４０３ｄ内に押し込む。続いて、ボール部材４１８を段差４０３ｆまで押し込んだら、押さえ管４１７を躯体４０３の先端４０３ａに嵌めて固定し、押さえ管４１７を嵌めた躯体４０３の先端４０３ａを、先端側ストッパ４０５の躯体挿入用穴４０５ｂに挿入し、先端側ストッパ４０５と躯体４０３との固定が終了する。実施の形態４においては、図６０に示す状態を初期状態として、躯体４０３の基端４０３ｂに穿刺針が接続し、躯体４０３の基端４０３ｂから生体組織内に挿入されることが望ましい。
【０１０９】
この先端側ストッパ４０５から躯体４０３を抜き出すには、生体組織外に位置する基端側のワイヤ層通用ルーメン４０３ｄの開口から引き出されているワイヤ４１６の他端を、図６０の矢印のように、基端側の開口４０３ｅ２から基端４０３ｂ側に引き出す。この結果、ワイヤ４１６の先端４１６ａも引かれてワイヤ挿通用ルーメン４０３ｄの先端４０３ａ側の段差４０３ｆよりも基端４０３ｂ側に移動し、ボール部材４１８から離れる。これにともない、ボール部材４１８は、ワイヤ４１８がなくなるため段差４０３ｆに引っ掛かった状態から解放され、弾性部材４１９の付勢力によって、躯体４０３のワイヤ挿通用ルーメン４０３ｄから抜け出て、先端側ストッパ４０５の躯体挿入用穴４０５内部に戻る。この結果、躯体４０３の先端４０３ａと、先端側ストッパ４０５との固定が解除され、躯体４０３を生体組織外に抜き出すことができる。
【０１１０】
この実施の形態４においても、先端側ストッパ４０５と躯体４０３の先端３ａとを適切に固定できるとともに、躯体４０３の基端側にあるワイヤ４１６を引き出すだけで躯体４０３を先端側ストッパ４０５から分離して生体組織外に抜き出すことができる。
【０１１１】
（実施の形態５）
次に、実施の形態５について説明する。実施の形態５においては、ストッパ内部に、躯体の一部を把持可能であるバネ部材を設けて、ストッパと躯体とを固定する場合について説明する。
【０１１２】
図６１は、実施の形態５における先端側ストッパを躯体の先端側ストッパへの差し込み方向に沿って切断した図である。図６２は、実施の形態５における躯体先端の斜視図である。図６３は、実施の形態５における先端側ストッパおよび躯体を躯体の先端側ストッパへの差し込み方向に沿って切断した図である。
【０１１３】
図６１に示すように、実施の形態５における先端側ストッパ５０５は、略球形状の本体５０５ａに、躯体の先端が挿入される躯体挿入用穴５０５ｂが形成されている。躯体挿入用穴５０５ｂの底部には、躯体の一部を把持可能であるバネ部材５０５ｃ（把持部材）が固定されている。バネ部材５０５ｃは、弾性体によって形成されており、楕円を切り欠き、切り欠いた両端が外側に曲げられた形状を有する。
【０１１４】
図６２に示すように、実施の形態５における躯体５０３は、先端５０３ａに接着剤５０３ｅで接着された先端部材５０３ｄを有する。先端部材５０３ｄは、側面に窪み５０３ｆがあり、この先端部材５０３ｄの突出部および窪み５０３ｆにバネ部材５０５ｃの先端の把持部分が係合できるように形成されている。先端部材５０３ｄは、バネ部材５０５ｃの先端を押し広げることができる程度の硬度を有する。
【０１１５】
先端側ストッパ５０５に躯体５０３を固定するには、図６３に示すように、躯体５０３先端の先端部材５０３ｄを躯体挿入用穴５０５ｂに挿入する。先端部材５０３ｄをさらに奥に挿入すると、先端部材５０３ｄは、バネ部材５０３ｄの先端を押し広げることによって、バネ部材５０３ｄの内側に突出部５０５ｄの窪みが嵌り、躯体挿入用穴５０５ｂに固定される。この結果、先端側ストッパ５０５と躯体５０３とが固定される。
【０１１６】
先端側ストッパ５０５と躯体５０３との固定を解除する場合には、先端５１２ａから紫外線を照射する紫外線照射部材５１２を、スペースとして機能する躯体５０３の内部ルーメン３ｃに矢印のように挿入して紫外線照射部材５１２から紫外線を出力することによって、躯体５０３の先端５０３ａと突出部５０５ｄとを接着している接着剤５０３ｃを劣化させて、先端部材５０３ｄを躯体５０３の先端５０３ａから分離させる。この結果、先端側ストッパ５０５と躯体５０３本体とが分離可能となる。なお、先端部材５０３ｄは、先端側ストッパ５０５内に残留することとなる。
【０１１７】
この実施の形態５のようにバネ部材５０５ｄを利用した場合も、先端側ストッパ５０５と躯体５０３先端とを適切に固定できるとともに、躯体３内部に紫外線照射部材５１２を挿入するだけで、躯体５０３本体を先端側ストッパ５０５から分離して生体組織外に容易に抜き出すことができる。
【０１１８】
なお、接着剤５０３ｅを紫外線によって劣化させて先端側ストッパ５０５と躯体５０３先端との固定を解除した例について説明したが、高周波あるいはレーザ光を出力する部材を内部ルーメン３ｃに挿入し、高周波あるいはレーザ光による熱によって、躯体５０３の接着剤５０３ｅを焼ききることによって、先端側ストッパ５０５と躯体５０３との固定を解除してもよい。
【０１１９】
（実施の形態５の変形例１）
次に、実施の形態５の変形例１について説明する。図６４は、実施の形態５の変形例１における先端側ストッパを躯体の先端側ストッパへの差し込み方向に沿って切断した図である。図６５は、実施の形態５の変形例１における躯体先端の斜視図である。図６６および図６７は、実施の形態５の変形例１における先端側ストッパおよび躯体を躯体の先端側ストッパへの差し込み方向に沿って切断した図である。
【０１２０】
図６４に示すように、実施の形態５の変形例１における先端側ストッパ５０５１は、略球形状の本体５０５１ａに、躯体の先端が挿入される躯体挿入用穴５０５１ｂが形成されている。躯体用挿入用穴５０５１ｂは、底部にバネ部材５０５ｃと同様のバネ部材５０５１ｃが固定されており、バネ部材５０５１ｃが塑性域まで拡張可能なように底部側領域５０５１ｄが広くなっている。
【０１２１】
図６５に示すように、実施の形態５の変形例１における躯体５０３１は、先端５０３１ａには、拡張部材５０３１ｅが設けられる。拡張部材５０３１ｅは、内部に流体供給用の穴部５０３１ｇが形成され、該穴部５０３１ｇに流体が供給されることによって躯体５０３１の径方向に拡張可能である。拡張部材５０３１ｅは、柔軟な材料で形成される。拡張部材５０３１ｅの先端側には、バネ部材５０５１ｃの先端を押し広げることができる程度の硬度を有する先端部材５０３１ｄが形成される。躯体５０３１は、薬剤供給用の内部ルーメン３ｃとは別に、拡張部材５０３１ｅに液体あるいは気体などの流体を送達する拡張用ルーメン５０３１ｆが形成されている。拡張用ルーメン５０３１ｆは、先端が拡張部材５０３１ｅ内部の穴部５０３１ｇに連通するとともに、基端が、躯体５０３１の基端部まで延伸する。
【０１２２】
図６６に示すように、先端側ストッパ５０５１に躯体５０３１先端を固定するには、まず、躯体５０３１先端の突出部５０３１ｄおよび拡張部材５０３１ｅを躯体挿入用穴５０５１ｂに挿入する。突出部５０３１ｄをさらに奥に挿入すると、突出部５０３１ｄは、バネ部材５０５１ｃの先端を押し広げ、この結果、バネ部材５０５１ｃは、拡張部材５０３１ｅを変形させながら把持し、躯体挿入用穴５０５１ｂに躯体５０３１が固定される。
【０１２３】
先端側ストッパ５０５１と躯体５０３１との固定を解除する場合には、拡張用ルーメン５０３１ｆに基端から流体を供給する。図６７に示すように、拡張用ルーメン５０３１ｆに供給された流体は、矢印Ｙ５１に示すように、拡張部材５０３１ｅの穴部５０３１ｇに到達する。拡張部材５０３１ｅは、この穴部５０３１ｇへの流体の供給によって躯体５０３１の径方向に拡張し、バネ部材５０５１ｃを把持方向とは逆方向、すなわち、外側に押し広げてバネ部材５０５１ｃの先端が開くようにバネ部材５０５１ｃを塑性変形させる。この結果、バネ部材５０５１ｃは、拡張部材５０３１ｅの把持を解除するため、先端側ストッパ５０５と躯体５０３とが分離可能となる。拡張部材５０３１ｅと拡張部材５０３１ｅ内部に供給される流体は、先端側ストッパ５０５１と躯体５０３１本体との固定を解除する機能を有する。
【０１２４】
この場合も、先端側ストッパ５０５１と躯体５０３１先端とを適切に固定できるとともに、生体組織外から流体を供給するというという簡易な作業を行うだけで、躯体５０３１を先端側ストッパ５０５１から分離して生体組織外に抜き出すことができる。
【０１２５】
（実施の形態５の変形例２）
次に、実施の形態５の変形例２について説明する。図６８は、実施の形態５の変形例２における先端側ストッパおよび躯体先端部の斜視図である。図６９〜図７１は、実施の形態５の変形例２における先端側ストッパおよび躯体を躯体の先端側ストッパへの差し込み方向に沿って切断した図である。
【０１２６】
図６８および図６９に示すように、先端側ストッパ５０５２は、内部に空洞５０５２ｃが形成された略球形状の本体に、躯体の先端が挿入される躯体挿入用穴５０５２ｂが形成されている。先端側ストッパ５０５２の空洞５０５２ｃには、躯体挿入用穴５０５２ｂの開口と対向するように、躯体先端を把持する把持部材５０５２Ａが取り付けられている。把持部材５０５２Ａは、２枚の板状部材５０５２Ａａの一方の端部同士がヒンジ５０５２Ａｂで固定された構成を有し、図６９の左右方向に開閉可能となっている。各板状部材５０５２Ａａの他方の端部は、内側に折れており、折れた部分の中央５０５２Ａｃは、躯体５０３２の形状に対応させて略半円状にくぼんでいる。各板状部材５０５２Ａａは、先端側ストッパ５０５２内壁から伸びるバネ部材５０５２ｄによって、内側の方向に付勢されている。
【０１２７】
実施の形態５の変形例２における躯体５０３２は、先端５０３２ａ近傍に、溝５０３２ｄが形成されており、板状部材５０５２Ａａ端部の中央５０５２Ａｃが嵌るようになっている。
【０１２８】
先端側ストッパ５０５２に躯体５０３２先端を固定するには、躯体５０３２の先端５０３２ａを躯体挿入用穴５０５１ｂに挿入する。この場合、把持部材５０５２Ａの板状部材５０５２Ａａ端部がバネ部材５０５２ｄの付勢力によって内側方向にそれぞれ押されているため、躯体５０３２の先端５０３２ａは、板状部材５０５２Ａａ端部に突き当たる。その後、図６９に示すように、躯体５０３２の内部ルーメン３ｃに、芯材５１２２を挿入し、芯材５１２２を、矢印Ｙ５３のように、躯体５０３２の先端５０３２ａから突出して板状部材５０５２Ａａに押し当たるまで先端側ストッパ５０５２内部にさらに押し入れる。板状部材５０５２Ａａは、芯材５１２２に押されることによって、バネ部材５０５２ｄの付勢力に逆らって矢印Ｙ５４のように左右方向に開く。この状態で、躯体５０３２をさらに奥に挿入して、把持部材５０５２Ａ内部に躯体５０３２の先端５０３２ａを進入させる。続いて、芯材５１２２を内部ルーメン３ｃから抜き出すと、バネ部材５０５２ｄの付勢力によって板状部材５０５２Ａａが内側に押され、図７０のように板状部材５０５２Ａａ端部の中央５０５２Ａｃが躯体５０３２の窪み５０３２ｄに嵌る。板状部材５０５２Ａａは、バネ部材５０５２ｄによって内側方向に付勢されたままため、躯体５０３２先端の把持を継続する。この結果、先端側ストッパ５０５２と躯体５０３２とが固定される。
【０１２９】
先端側ストッパ５０５２と躯体５０３２との固定を解除する場合には、先端側ストッパ５０５２と躯体５０３２との固定時と同様に、図７１の矢印に示すように、躯体５０３２の内部ルーメン３ｃに、再度、芯材５１２２を挿入する。そして、芯材５１２２を板状部材５０５２Ａａに押し当たるまで先端側ストッパ５０５２内部にさらに押し入れて、板状部材５０５２Ａａを図７０の矢印のように左右方向に開かせて、躯体５０３２の把持を解除させた状態で、躯体５０３２を抜き出せばよい。
【０１３０】
この場合も、先端側ストッパ５０５２と躯体５０３２先端とを適切に固定できるとともに、躯体５０３２本体を先端側ストッパ５０５２から分離して生体組織外に容易に抜き出すことができる。
【０１３１】
なお、実施の形態５の変形例２は、基端側ストッパにも適用可能である。図７２は、実施の形態５の変形例２における基端側ストッパおよび躯体先端部の斜視図である。図７２に示すように、実施の形態５の変形例２における基端側ストッパ５０６３は、上下に開口５０６３ｂが形成されており、開口５０６３ｂにそれぞれ連通するように内部に空洞が形成されている。基端側ストッパ５０６３の内部空洞には、躯体５０３３の一部を把持する把持部材５０６３Ｂが取り付けられている。把持部材５０６３Ｂは、２枚の板状部材５０６３Ｂａの一方の端部同士がヒンジ５０６３Ｂｂで固定された構成を有する。各板状部材５０６３Ｂａの他方の端部は、内側に折れており、中央５０６３Ｂｃが略半円状に窪み、躯体５０３３外面の窪み５０３３ｄに嵌るようになっている。把持部材５０６３Ｂ上部には、躯体５０５３が貫通可能となるように、穴５０６３Ｂｄが開いている。板状部材５０６３Ｂａ側面には、永久磁石５０６３Ｂｅがそれぞれ設けられている。
【０１３２】
この場合には、躯体５０３３を基端側ストッパ５０６３に挿入後、躯体５０３３の内部ルーメンに、永久磁石５０６３とは同極性の永久磁石を有する芯材を挿入し、永久磁石５０６３と、芯材の永久磁石との反発力を利用して、板状部材５０６３Ｂａを左右に開閉させて、基端側ストッパ５０６３と躯体５０３３の固定および固定解除を行なえばよい。
【０１３３】
（実施の形態５の変形例３）
次に、実施の形態５の変形例３について説明する。図７３および図７４は、実施の形態５の変形例３における先端側ストッパおよび躯体を躯体の先端側ストッパへの差し込み方向に沿って切断した図である。
【０１３４】
図７３に示すように、実施の形態５の変形例３における先端側ストッパ５０５４は、略球形状の本体５０５４ａに、躯体の先端が挿入される躯体挿入用穴５０５４ｂが形成されている。躯体用挿入用穴５０５４ｂは、底部にバネ部材５０５４ｃ（把持部材）が固定されており、バネ部材５０５４ｃが変形域まで拡張可能なように底部側領域５０５４ｄが広くなっている。バネ部材５０５４ｃは、形状記憶合金で形成されており、約２０〜約４０℃では図７３のように屈曲する形状をなし、それより低い温度（例えば５℃）もしくは高い温度（例えば８０℃）では、図７４のように屈曲を解除し広がる形状をなす。
【０１３５】
図７３に示すように、実施の形態５の変形例３における躯体５０３４は、先端５０３４ａ近傍の側面に窪み５０３４ｆが形成されており、この窪み５０３４ｆにバネ部材５０５４ｃの先端が嵌合する。
【０１３６】
先端側ストッパ５０５４に躯体５０３４を固定するには、躯体５０３４の先端５０３４ａを躯体挿入用穴５０５１ｂに挿入し、バネ部材５０３ｄ先端を押し広げて、バネ部材５０３ｄの内側に突出部５０５ｄの窪み５０３４ｆを嵌めればよい。生体内は通常約２０〜約４０℃の温度を保持するため、バネ部材５０５４ｃは、図７３に示すように屈曲する形状を保持し、躯体５０３４の把持を継続する。
【０１３７】
先端側ストッパ５０５４と躯体５０３４との固定を解除する場合には、図７４に示すように、４０℃以上の熱を発する熱源部材５１２４を躯体５０３４の内部ルーメン３ｃに挿入して、バネ部材５０５４ｃを広げて、バネ部材５０５４ｃの把持を解除すればよい。この固定解除に要する時間は非常に短いため、バネ部材５０５４ｃの形状変化のための環境温度の変化は許容される範囲内である。特に、生体は、血流等による温度保持能力があるので影響は少ない。また、熱源部材５１２４に代えて、２０℃以下の冷却源部材を内部ルーメン３ｃに挿入して、バネ部材５０５４ｃを広げてもよい。なお、先端側ストッパ５０５４と躯体５０３４との固定を解除する場合と同様に、先端側ストッパ５０５４に躯体５０３４を固定する場合にも熱源部材５１２４を用いてバネ部材５０５４ｃを広げてから、躯体５０３４を先端側ストッパ５０５４内部に挿入後、熱源部材５１２４を抜き出せば、躯体５０３４の挿入が容易化できる。
【０１３８】
実施の形態５の変形例３は、基端側ストッパにも適用可能である。図７５および図７６は、実施の形態５の変形例３における基端側ストッパおよび躯体を、躯体の長軸の中心軸に沿って切断した図である。
【０１３９】
図７５に示すように、実施の形態５の変形例３における基端側ストッパ５０６５は、上下に開口５０６５ｂが形成されており、開口５０６５ｂにそれぞれ連通するように内部に空洞５０６５ｄが形成されている。空洞５０６５ｄの内壁には、バネ部材５０５４ｃと同様の形状記憶合金によって形成されたバネ部材５０６５ｅ（把持部材）の一端が固定されている。バネ部材５０６５ｃは、約２０〜約４０℃では、図７５のように屈曲して躯体３側面を押圧する形状をなし、それより低い温度（例えば５℃）もしくは高い温度（例えば８０℃）では、図７６のように屈曲を解除し広がる形状をなす。
【０１４０】
基端側ストッパ５０６５についても、先端側ストッパ５０５４と同様に、躯体３との固定および躯体３との固定解除においては、熱源部材５１２４あるいは冷却源部材を用いてバネ部材５０６５ｃを広げてから、躯体３の基端側ストッパ５０６５内部への挿入あるいは躯体３の基端側ストッパ５０６５からの抜き出しを行なえばよい。なお、躯体３側面に、バネ部材５０５４の屈曲部分が嵌る窪み３ｐを設けて、固定を確実化させてもよい。
【０１４１】
（実施の形態５の変形例４）
次に、実施の形態５の変形例４について説明する。図７７は、実施の形態５の変形例４における躯体先端の斜視図である。図７８および図７９は、実施の形態５の変形例４における先端側ストッパおよび躯体を躯体の先端側ストッパへの差し込み方向に沿って切断した図である。
【０１４２】
図７７に示すように、実施の形態５の変形例４における躯体５０３６は、先端５０３６ａ近傍の側面に窪み５０３６ｄが形成されており、この窪み５０３６ｄに後述する先端側ストッパのバネ部材が嵌合する。
【０１４３】
図７８に示すように、実施の形態５の変形例４における先端側ストッパ５０５６は、略球形状の本体５０５６ａに、躯体の先端が挿入される躯体挿入用穴５０５６ｂが形成されている。躯体用挿入用穴５０５６ｂにはバネ部材５０５６ｅが固定されており、躯体挿入用穴５０５６ｂは、バネ部材５０５６ｅが形成される部分５０５６ｃは広くなっており、その奥は、躯体５０３６の外径に対応する。躯体挿入用穴５０５６ｂの底部部分５０５６ｄは、円錐を切り取った形状となっている。
【０１４４】
先端側ストッパ５０５６に躯体５０３６を固定するには、躯体５０３６の先端５０３６ａを躯体挿入用穴５０５６ｂのバネ部材５０５６ｅ形成位置までに挿入する。続いて、図７９のように、躯体５０３６の内部ルーメン３ｃに芯材５１２６を挿入し、芯材５１２６を、矢印Ｙ５６のように、先端５１２６ａが躯体５０３６の先端５０３６ａから突出して躯体挿入用穴５０５６ｂの底部に押し当たるまで先端側ストッパ５０５６内部に押し入れる。さらに、芯材５１２６を躯体挿入用穴５０５６ｂの底部に押し当てると、躯体挿入用穴５０６５ｂが矢印Ｙ５７のように開く。躯体５０３６を躯体挿入用穴５０５６ｂの奥に挿入後、芯材５１２６を躯体５０３６の内部ルーメン３ｃから抜き出すと、躯体挿入用穴５０５６ｂが図７９のように元の大きさに戻り、バネ部材５０５６ｃが躯体５０３６の躯体５０３６の窪み５０３６ｄに嵌り、躯体５０３２先端を把持して固定する。先端側ストッパ５０５６と躯体５０３６との固定を解除する場合には、同様に、芯材５１２６を躯体５０３６の内部ルーメン３ｃに押し入れて、先端側ストッパ５０５６の躯体挿入用穴５０５６ｂを押し開いてバネ部材５０５６ｅの把持を解除した状態で、躯体５０３６を先端側ストッパ５０５６から抜き出せばよい。
【０１４５】
（実施の形態６）
次に、実施の形態６について説明する。実施の形態６では、躯体側に、躯体から着脱可能なバネ部材を設けた場合を例に説明する。
【０１４６】
図８０は、実施の形態６における先端側ストッパを躯体の先端側ストッパへの差し込み方向に沿って切断した図である。図８１は、実施の形態６における躯体先端を躯体の長軸の中心軸に沿って切断した図である。図８２は、実施の形態６における躯体の使用前の状態を示す断面図である。図８３は、実施の形態６における先端側ストッパおよび躯体を、躯体の先端側ストッパへの差し込み方向に沿って切断した図である。
【０１４７】
図８０に示すように、実施の形態６における先端側ストッパ６０５は、略球形状の本体６０５ａに、躯体挿入用穴６０５ｂが形成されている。躯体挿入用穴６０５ｂは、内部内径よりも広い径の開口部６０５ｃが形成されており、開口部６０５ｃから本体６０５ａ内部に向かって狭くなるように傾斜が設けられている。
【０１４８】
図８１に示すように、実施の形態６における躯体６０３は、先端６０３ａに開口６０３ｄが形成されており、開口６０３ｄには、この開口６０３ｄを押し広げるようにバネ部材６０３ｅが挿入される。このバネ部材６０３ｅは、バネ部材６０３ｅ端部が開口６０３ｄから突出するように開口６０３ｄに挿入されることによって、躯体６０３先端に装着される。また、バネ部材６０３ｅは、基端を先端方向に押されることによって、開口６０３ｄから押し出され、躯体６０３から脱離する。躯体６０３と穿刺針２との分離前においては、バネ部材６０３ｅは、図８２に示すように、管状の接続部材６０９内部に挿入され、接続部材６０９内壁によって端部が広がらないように保持されている。
【０１４９】
先端側ストッパ６０５に躯体６０３を固定するには、図８２に示す接続部材６０９を躯体６０３の先端６０３ａから取り外した後、躯体６０３先端のバネ部材６０３ｅを開口部６０５ｃから躯体挿入用穴６０５ｂに挿入する。開口部６０５ｃは、躯体挿入用穴６０５ｂの内径よりも広く形成されるため、バネ部材６０３ｅから接続部材６０９が取り外されてバネ部材６０３ｅが広がっても、躯体挿入用穴６０５ｂに挿入可能である。バネ部材６０３ｅは、躯体挿入用穴６０５ｂの径方向に広がる弾性力を有する。このため、躯体６０３を躯体挿入用穴６０５ｂのさらに奥に挿入すると、図８３に示すように、バネ部材６０３ｅは、躯体挿入用穴６０５ｂの内壁を矢印Ｙ６１のように押圧する。言い換えると、バネ部材６０３ｅは、躯体挿入用穴６０５ｂに躯体６０３の先端６０３ａが挿入された場合に、弾性力によって躯体挿入用穴６０５ｂの側面に当て付いて躯体６０３の先端６０３ａを躯体挿入用穴６０５ｂに固定する固定部材として機能する。
【０１５０】
先端側ストッパ６０５と躯体６０３との固定を解除する場合には、図８３の矢印Ｙ６２のように、芯材６１２を躯体６０３の内部ルーメン３ｃに挿入して、バネ部材６０３ｅ基端を躯体６０３の開口６０３ｄから押し出して、バネ部材６０３ｅを躯体６０３から分離する。この結果、躯体６０３を、先端側ストッパ６０５から抜き出すことができる。
【０１５１】
この実施の形態６のように躯体６０３に脱着可能であるバネ部材６０３ｅを備えた場合も、先端側ストッパ６０５と躯体６０３先端とを適切に固定できるとともに、バネ部材６０３ｅを躯体６０３内部からの操作で躯体６０３から押し出すだけで、躯体６０３本体を先端側ストッパ６０５から分離して生体組織外に抜き出すことができる。
【０１５２】
なお、図８４の躯体６０３１に示すように、内部ルーメン３ｃと、先端６０３１ａ側のバネ部材６０３ｅの挿入領域６０３１ｆとを遮断する遮断壁６０３１ｇを設けてもよい。この躯体６０３１を先端側ストッパ６０５から抜き出す場合には、図８５に示すように、管状のシース１３内に針部材１４を収納した状態で、針部材１４を遮断壁３５ｉに当たるまで内部ルーメン３ｃに挿入し、シース１３の先端１３ａから針部材１４の先端１４ａを突出させて遮断壁６０３１ｇを切り裂く。シース１３の内部に針部材１４を収納した後、シース１３と針部材１４を一緒に抜き去り、代わりに、芯材６１２を躯体６０３の内部ルーメン３ｃに挿入して、バネ部材６０３ｅ基端を躯体６０３の開口６０３ｄから押し出して、バネ部材６０３ｅを矢印Ｙ６３のように躯体６０３１から分離する。また、シース１３の内部に針部材１４を収納してからシース１３と針部材１４を一緒に抜き去った後に、内部ルーメン３ｃ内に流体を供給して、この流体による加圧を用いてバネ部材６０３ｅを躯体６０３１から押し出してもよい。また、バネ部材６０３ｅの矢印Ｙ６４に示す脱離方向の力を供給すればバネ部材６０３１ｅを躯体６０３１から脱離させることができるため、先端６０３１ａまで内部ルーメン３ｃが開通した後に、シース１３内から針部材１４を抜き出してから、シース１３内に流体を供給して、この流体による加圧を用いてバネ部材６０３ｅを躯体６０３１から押し出してもよい。この場合、針部材１４で遮断壁６０３１ｇを切り裂いた後、シース１３を針部材１４に沿って押し込み、その後、針部材１４のみ抜去することにより、遮断壁６０３１ｇによって流体抵抗が生じるのを防ぐことができる。さらに、シース１３の内径がシース１３の先端部１３ａでのみ針部材１４の外径に接するように構成することによって、シース１３と針部材１４の摺動性を向上させることができる。
【０１５３】
（実施の形態７）
次に、実施の形態７について説明する。図８６は、実施の形態７における先端側ストッパを躯体の先端側ストッパへの差し込み方向に沿って切断した図である。図８７は、図８６のＦ矢視図である。図８８および図８９は、実施の形態７における先端側ストッパおよび躯体を、躯体の先端側ストッパへの差し込み方向に沿って切断した図である。
【０１５４】
図８６および図８７に示すように、実施の形態７における先端側ストッパ７０５は、略球形状の本体７０５ａに、躯体挿入用穴７０５ｂが形成されている。躯体挿入用穴７０５ｂは、底部に突出部材７０５ｅ（突出部）が固定されている。突出部材７０５ｅの側面には、後述するバネ部材７０３ｅ先端が嵌るように窪みが形成されている。躯体挿入用穴７０５ｂの底部領域７０５ｄは、開口部よりも広くなっている。
【０１５５】
図８８に示すように、実施の形態７における躯体７０３は、先端７０３ａにバネ部材７０３ｅが接続している。バネ部材７０３ｅ（把持部材）の各端部７０３ｆは、それぞれ、躯体７０３の先端部分の側壁に挿入された状態で固定される。バネ部材７０３ｅは、特に外力が加えられていない状態では、躯体７０３の径方向に広がらない形状を保持する。
【０１５６】
先端側ストッパ７０５に躯体７０３を固定するには、躯体７０３の先端７０３ａを躯体挿入用穴７０５ｂに挿入した後に、図８８のように、躯体７０３の内部ルーメン３ｃに芯材７１２を挿入し、芯材７１２を、図８９の矢印のように、躯体７０３の先端７０３ａから突出させてバネ部材７０３ｅを躯体７０３の径方向に押し開く。この状態で、躯体７０３を躯体挿入用穴７０５ｂに挿入後、芯材７１２を内部ルーメン３ｃから抜き出す。この結果、バネ部材７０３ｅは、内側に閉じて突出部７０５ｅの窪みに嵌り、躯体７０３先端を把持して固定する。
【０１５７】
先端側ストッパ７０５と躯体７０３との固定を解除する場合には、同様に、芯材７１２を躯体７０３の内部ルーメンに押し入れてバネ部材７０３ｅを押し開き、バネ部材７０３ｅの把持を解除した状態で、躯体７０３を先端側ストッパ７０５から抜き出せばよい。すなわち、把持方向とは逆方向に押し広げる力をバネ部材７０３ｅに供給してバネ部材７０３ｅの把持を解除すればよい。
【０１５８】
この実施の形態７のように、躯体７０３先端に躯体挿入用穴７０５ｂ内の突出部７０５ｅを把持できるバネ部材７０３ｅを設けた場合も、バネ部材７０３ｅを躯体７０３内部からの操作で押し開くことによって、先端側ストッパ７０５と躯体７０３先端とを適切に固定できるとともに、躯体７０３本体を先端側ストッパ７０５から分離して生体組織外に容易に抜き出すことができる。
【０１５９】
（実施の形態８）
次に、実施の形態８について説明する。図９０は、実施の形態８における先端側ストッパを躯体の先端側ストッパへの差し込み方向に沿って切断した図である。図９１は、図９０のＩ−Ｉ線断面図である。図９２は、実施の形態８における躯体先端の斜視図である。図９３および図９４は、実施の形態８における先端側ストッパおよび躯体を、躯体の先端側ストッパへの差し込み方向に沿って切断した図である。
【０１６０】
図９０および図９１に示すように、先端側ストッパ８０５は、略球形状の本体８０５ａに、躯体の先端が挿入される躯体挿入用穴８０５ｂが形成されている。躯体挿入用穴８０５ｂは、開口部分と底部部分８０５ｅは、ほぼ同等の内径である。躯体挿入用穴８０５ｂは、後述する拡張部材８０３ｅが拡張可能なように中央部分８０５ｄが広くなっている。
【０１６１】
図９２および図９３に示すように、実施の形態８における躯体８０３は、先端８０３ａには、拡張部材８０３ｅが設けられる。拡張部材８０３ｅは、内部に後述する拡張制御部材８１２が配置される穴部８０３ｇが形成され、躯体８０３の径方向に拡張可能である。拡張部材８０３ｅは、柔軟な材料で形成される。拡張部材８０３ｅの先端側には、拡張部材８０３ｅよりも硬い材料で形成された先端部材８０３ｄが形成される。
【０１６２】
先端側ストッパ８０５に躯体８０３先端を固定するには、図９３に示すように、躯体８０３先端の突出部８０３ｄが躯体挿入用穴８０５ｂの底部部分８０５ｅに当て付くまで躯体挿入用穴８０５ｂに躯体８０３を挿入する。続いて、躯体８０３の内部ルーメン３ｃに、拡張制御部材８１２を、拡張部材８０３ｅの穴部８０３ｅに形成領域に到達するまで挿入する。拡張制御部材８１２は、特に外力が加えられていない状態においては、躯体８０３の径方向に広がった形状を保持するバネ部材８１２ａが先端に設けられている。このため、拡張制御部材８１２が拡張部材８０３ｅ形成領域に到達するまで挿入されると、図９４に示すように、バネ部材８１２ａが躯体８０３の径方向に広がって、拡張部材８０３ｅを躯体８０３の径方向に拡張させる。この結果、拡張部材８０３ｅは、拡張制御部材８１２ａのバネ部材８１２ａの広がりにしたがって、躯体８０３の径方向に拡張することで躯体挿入用穴８０５ｂの側面に当て付いて躯体８０３先端を躯体挿入用穴８０５ｂに固定する。なお、薬剤投与中は、躯体８０３基端と拡張制御部材８１２の基端とを、所定のロック機構によって位置決めすれば、拡張制御部材８１２の位置ずれを防止できる。
【０１６３】
先端側ストッパ８０５と躯体８０３との固定を解除する場合には、拡張制御部材８１２を拡張部材８０３ｅよりも基端側に引き出して、拡張制御部材８１２を拡張部材８０３ｅ形成領域から退避させる。この結果、拡張部材８０３ｅは、収縮し、躯体挿入用穴８０５ｂの側面への当て付きを解除する。この結果、躯体８０３先端の躯体挿入用穴８０５ｂに対する固定が解除されるため、拡張制御部材８１２とともに躯体８０３を抜き出せばよい。
【０１６４】
この実施の形態８のように、躯体８０３先端に拡張部材８０３ｅを設けて、拡張制御部材８１２によって拡張させることによって、先端側ストッパ８０５と躯体８０３先端とを適切に固定できるとともに、拡張制御部材８１２を退避させるだけで、拡張部材８０３ｅを収縮させて躯体８０３本体を先端側ストッパ８０５から分離して生体組織外に抜き出すことができる。
【０１６５】
なお、実施の形態８においては、図９５および図９６に示す躯体８０３１を用いてもよい。躯体８０３１は、薬剤供給用の内部ルーメン３ｃとは別に、拡張部材８０３ｅに液体あるいは気体などの流体を送達する拡張用ルーメン８０３１ｆが形成されている。拡張用ルーメン８０３１ｆは、先端が拡張部材８０３１ｅ内部に連通するとともに、基端が、躯体８０３１の基端部まで延伸する。先端側ストッパ８０５に躯体８０３１先端を固定するには、図９６に示すように、躯体８０３１先端の突出部８０３１ｄが躯体挿入用穴８０５ｂの底部部分８０５ｅに当て付くまで躯体挿入用穴８０５ｂに躯体８０３１を挿入した後に、躯体８０３１の拡張用ルーメン８０３１ｆに、基端から流体を供給して、拡張部材８０３ｅを拡張させる。拡先端側ストッパ８０５と躯体８０３１との固定を解除する場合には、拡張用ルーメン８０３１ｆの流体を、基端から躯体８０３１外に排出し、拡張部材８０３１eを収縮させればよい。
【０１６６】
また、実施の形態８は、基端側ストッパにも適用可能である。図９７は、実施の形態８における基端側ストッパおよび躯体を、躯体の長軸の中心軸に沿って切断した図である。図９７に示すように、実施の形態８における基端側ストッパ８０６２は、略球形状の本体８０６２ａに、躯体が挿通できる貫通穴８０６２ｂが形成されている。躯体８０３２は、側面に拡張部材８０３２ｅが設けられている。躯体８０３２は、薬剤供給用の内部ルーメン３ｃとは別に、拡張部材８０３２ｅに液体あるいは気体などの流体を送達する拡張用ルーメン８０３２ｇが形成されている。拡張用ルーメン８０３２ｇは、先端側の開口８０３２ｈが拡張部材８０３２ｅ内部に連通するとともに、基端が、躯体８０３２の基端部まで延伸する。
【０１６７】
基端側ストッパ８０６２に躯体８０３２を固定するには、躯体８０３２を躯体挿入用の貫通穴８０６２ｂに躯体８０３２を貫通させた後に、躯体８０３２の拡張用ルーメン８０３２ｇに、基端から流体を供給して、拡張部材８０３２ｅを拡張させればよい。基端側ストッパ８０６２と躯体８０３２との固定を解除する場合には、拡張用ルーメン８０３２ｇの流体を、基端から躯体８０３２外に排出し、拡張部材８０３２ｅを収縮させればよい。
【０１６８】
また、基端側ストッパ固定部と、先端部との双方にそれぞれ拡張部材を設ける場合について説明する。この場合には、図９８の躯体８０３３に示すように、躯体８０３３の長軸方向と直交する断面を見た場合、先端部の拡張部材への流体供給用の拡張用ルーメン８０３３ｆと、基端側ストッパ固定部の拡張部材への流体供給用の拡張用ルーメン８０３３ｇとを、交互に配置すると、躯体８０３３の外径をより細くでき、さらに各拡張部材を均等に膨らませることができる。
【０１６９】
（実施の形態８の変形例１）
次に、実施の形態８の変形例１について説明する。図９９は、実施の形態８の変形例１における躯体先端の斜視図である。図１００は、実施の形態８の変形例１における先端側ストッパおよび躯体を躯体の先端側ストッパへの差し込み方向に沿って切断した図である。
【０１７０】
図９９に示すように、実施の形態８の変形例１における躯体８０３４は、先端８０３４ａには、躯体８０３４の径方向に拡張可能である拡張部材８０３４ｔが設けられる。拡張部材８０３４ｔは、柔軟な材料で形成される。拡張部材８０３４ｔの先端側には、拡張部材８０３４ｔよりも硬い材料で形成された先端部材８０３４ｄが形成される。
【０１７１】
拡張部材８０３４ｔには、長軸方向に、複数のスリット８０３４ｓが形成されている。スリット８０３４ｓで区切られた部分には、熱伝導をよりよくするため、バネ部材５０５４ｃと同様の形状記憶合金によって形成された線材８０３４ｅが内壁から露出するように貼り付けられている。線材８０３４ｅは、約２０〜約４０℃では、図１００のように躯体８０３４径方向に向かって屈曲する形状をなし、それより低い温度（例えば５℃）もしくは高い温度（例えば８０℃）では、図９９のように屈曲を解除し延伸した形状をなす。なお、この針金８０３４ｅは、スリット８０３４ｓで区切られた部分の内壁に埋め込まれていてもよい。
【０１７２】
そして、躯体８０３４には、薬剤供給用の内部ルーメン８０３４ｃとは別に、熱源部材あるいは冷却源部材が挿入されるルーメン８０３４ｆが形成されている。
【０１７３】
先端側ストッパ８０５に躯体８０３４先端を固定するには、熱源部材あるいは冷却源部材をルーメン８０３４ｆに挿入して、拡張部材８０３４ｔの線材８０３４ｅを延伸した状態で、躯体８０３４先端の先端部材８０３４ｄが躯体挿入用穴８０５ｂの底部部分８０５ｅに当て付くまで躯体挿入用穴８０５ｂに躯体８０３４を挿入する。そして、熱源部材あるいは冷却源部材を躯体８０３４のルーメン８０３４ｆから抜き出す。この結果、線材８０３４ｅを広げてから、躯体３の基端側ストッパ５０６５内部への挿入あるいは躯体３の基端側ストッパ５０６５からの抜き出しを行なえばよい。生体内は通常約２０〜約４０℃の温度を保持するため、線材８０３４ｅは、図１００のように躯体８０３４の径方向に向かって屈曲する形状を保持し、躯体挿入用穴８０５ｂの中央部分８０５ｄの内壁に当て付いて、躯体８０３４先端を先端側ストッパ８０５内に固定する。
【０１７４】
先端側ストッパ８０５と躯体８０３４との固定を解除する場合には、再度、熱源部材あるいは冷却源部材をルーメン８０３４ｆに挿入して、拡張部材８０３４ｔの線材８０３４ｅを延伸させた状態にする。この結果、線材８０３４ｅによる躯体挿入用穴８０５ｂの中央部分８０５ｄの内壁への当て付きが解除されるため、熱源部材あるいは冷却源部材ごと躯体８０３４を抜き出せばよい。
【０１７５】
なお、穿刺針２の基端２ｂと躯体３の先端３ａとを接続する接続部材は、図５に示す接続部材９に限らない。たとえば、図１０１に示すように、躯体９０３の先端９０３ａに、外側面に雄ネジ９０３ｅを切った突出部９０３ｄを設け、中実の本体部９０９ｃに、内側面に雌ネジ９０３ｂを切った管状の基端部９０９ａを備えた接続部材９０９を用いてもよい。本体部９０９ｃは、管状の基端部９０９ａと穿刺針２の間には、穿刺針２による誤穿刺を防止するために、ネジを緩める前に穿刺針２を除去するための切断部として機能する。言い換えると、この本大部９０９ｃを切断して、躯体９０３と穿刺針２とを分離できるようになっている。カテーテルの穿刺後、穿刺針２を本体部９０９ｃで切断して除去した後、ネジを緩めることによって、基端部９０９ａを躯体９０３先端から外せばよい。
【０１７６】
また、図１０２の躯体１００３のように、本体よりも外径が小さい先端部１００３ａの外側面に、屈曲したガイド溝１００３ｄを設け、図１０３に示す穿刺針１００２の基端部１００２ｂに、ガイド溝１００３ｄに嵌合する突起１００２ｄを有する接続部材１００９を設けてもよい。初期状態では、ガイド溝１００３ｄに突起１００２ｄが嵌められた状態で接続部材１００９が躯体１００３先端に取り付けられており、ガイド溝１００３ｄに沿って突起１００２ｄを先端側に動かすことで、接続部材１００９を躯体１００３先端から取り外すことができる。
【０１７７】
また、図１０４および図１０５に示すように、クリップ部材を用いて接続する接続部材１１０９を用いてもよい。図１０４は、本実施の形態の他の例における躯体先端、接続部材および穿刺針基端を、長軸方向の中心軸に沿って切断した図である。図１０５は、図１０４に示すＪ−Ｊ線断面図である。
【０１７８】
図１０４よび図１０５に示すように、穿刺針２の基端２ｂには、柔軟な接合部１１０９ａが接続しており、接合部１１０９ａの基端にクリップの二つの板部材１００９ｂが対向して設けられる。二つの板部材１１０９ｂは、バネ１１０９ｃを介して接続している。クリップを構成する対向した板部材１１０９ｂの間にも柔軟なシート１１０９ｄが形成されており、クリップ内部が露出して汚れないようになっている。躯体１１０３の先端１００３ａには、クリップの板部材１００９ｂの嵌合部に嵌合可能である溝１１０３ｅが設けられた突出部１００３ｄが設けられる。この場合には、躯体１１０３チューブ先端の突出部１１０３ｄの溝１１０３ｅに嵌っている板状部材１１０９ｂの先端をクリップを操作して外すことによって、穿刺針２を躯体１１０３から分離することができる。
【符号の説明】
【０１７９】
１  カテーテル
２，１００２  穿刺針
３，３１〜３６，３８，２０３，２０３１，４０３，５０３，５０３１〜５０３４，５０３６，６０３，６０３１，７０３，８０３，８０３１〜８０３４  躯体
４  側孔
５，５１，５２，５６〜５８，２０５，３０５，３０５１，４０５，５０５，５０５１，５０５２，５０５４，５０５６，６０５，７０５，８０５  先端側ストッパ
５ｂ，５６ｂ，５８ｂ，６ｂ，６１ｂ，６３ｂ，２０５ｂ，２０６ｂ，３０５ｂ，３０６ｂ，４０５ｂ，５０５ｂ，５０５１ｂ，５０５２ｂ，５０６３ｂ，５０５４ｂ，５０６５ｂ，５０５６ｂ，６０５ｂ，７０５ｂ，８０５ｂ  躯体挿入用穴
５ｃ，５６ｆ，６１ｃ  糸挿通用穴
６，６Ａ，６Ｂ，６１〜６３，２０６，３０６，５０６３，５０６５，８０６２  基端側ストッパ
７  ポンプ
８  リザバー
９，９０９，１００９，１１０９  接続部材
１１  糸
１２，１２Ａ  切断部材
１３  シース
１４  針部材
１５  躯体側糸（第２の糸）
１６  回収シース
３６ｊ１，３６ｊ２，３８ｍ  糸挿通用ルーメン（スペース）
２１２  固定解除部材
４０３ｄ  ワイヤ挿通用ルーメン（スペース）
４１６  ワイヤ
４１７  押さえ管
４１８  ボール部材
４１９  弾性部材
３１２，５１２  紫外線照射部材
５０３ｄ  先端部材
５０３ｆ  窪み
５０５ｃ，６０３ｅ，７０３ｅ，５０５１ｃ，５０５４ｃ，５０６５ｅ，５０５６ｅ  バネ部材
６１２，７１２，５１２２，５１２６  芯材（固定解除手段）
７０５ｅ  突出部材（突出部）
８０３ｄ，５０３１ｅ，８０３１ｅ  拡張部材
８０３ｇ，５０３１ｇ  穴部
８１２  拡張制御部材
５１２４  熱源部材
５０３１ｆ  拡張用ルーメン（スペース）
５９５３Ａ，５０６３Ｂ  把持部材
【図１】
2013031505.tif 000003
【図２Ａ】
2013031505.tif 000004
【図２Ｂ】
2013031505.tif 000005
【図２Ｃ】
2013031505.tif 000006
【図２Ｄ】
2013031505.tif 000007
【図２Ｅ】
2013031505.tif 000008
【図３】
2013031505.tif 000009
【図４Ａ】
2013031505.tif 000010
【図４Ｂ】
2013031505.tif 000011
【図４Ｃ】
2013031505.tif 000012
【図５】
2013031505.tif 000013
【図６】
2013031505.tif 000014
【図７】
2013031505.tif 000015
【図８】
2013031505.tif 000016
【図９】
2013031505.tif 000017
【図１０】
2013031505.tif 000018
【図１１】
2013031505.tif 000019
【図１２】
2013031505.tif 000020
【図１３】
2013031505.tif 000021
【図１４】
2013031505.tif 000022
【図１５】
2013031505.tif 000023
【図１６】
2013031505.tif 000024
【図１７】
2013031505.tif 000025
【図１８】
2013031505.tif 000026
【図１９】
2013031505.tif 000027
【図２０】
2013031505.tif 000028
【図２１】
2013031505.tif 000029
【図２２】
2013031505.tif 000030
【図２３】
2013031505.tif 000031
【図２４】
2013031505.tif 000032
【図２５】
2013031505.tif 000033
【図２６】
2013031505.tif 000034
【図２７】
2013031505.tif 000035
【図２８】
2013031505.tif 000036
【図２９】
2013031505.tif 000037
【図３０】
2013031505.tif 000038
【図３１】
2013031505.tif 000039
【図３２】
2013031505.tif 000040
【図３３】
2013031505.tif 000041
【図３４】
2013031505.tif 000042
【図３５】
2013031505.tif 000043
【図３６】
2013031505.tif 000044
【図３７】
2013031505.tif 000045
【図３８】
2013031505.tif 000046
【図３９】
2013031505.tif 000047
【図４０】
2013031505.tif 000048
【図４１】
2013031505.tif 000049
【図４２】
2013031505.tif 000050
【図４３】
2013031505.tif 000051
【図４４】
2013031505.tif 000052
【図４５】
2013031505.tif 000053
【図４６】
2013031505.tif 000054
【図４７】
2013031505.tif 000055
【図４８】
2013031505.tif 000056
【図４９】
2013031505.tif 000057
【図５０】
2013031505.tif 000058
【図５１】
2013031505.tif 000059
【図５２】
2013031505.tif 000060
【図５３】
2013031505.tif 000061
【図５４】
2013031505.tif 000062
【図５５】
2013031505.tif 000063
【図５６】
2013031505.tif 000064
【図５７】
2013031505.tif 000065
【図５８】
2013031505.tif 000066
【図５９】
2013031505.tif 000067
【図６０】
2013031505.tif 000068
【図６１】
2013031505.tif 000069
【図６２】
2013031505.tif 000070
【図６３】
2013031505.tif 000071
【図６４】
2013031505.tif 000072
【図６５】
2013031505.tif 000073
【図６６】
2013031505.tif 000074
【図６７】
2013031505.tif 000075
【図６８】
2013031505.tif 000076
【図６９】
2013031505.tif 000077
【図７０】
2013031505.tif 000078
【図７１】
2013031505.tif 000079
【図７２】
2013031505.tif 000080
【図７３】
2013031505.tif 000081
【図７４】
2013031505.tif 000082
【図７５】
2013031505.tif 000083
【図７６】
2013031505.tif 000084
【図７７】
2013031505.tif 000085
【図７８】
2013031505.tif 000086
【図７９】
2013031505.tif 000087
【図８０】
2013031505.tif 000088
【図８１】
2013031505.tif 000089
【図８２】
2013031505.tif 000090
【図８３】
2013031505.tif 000091
【図８４】
2013031505.tif 000092
【図８５】
2013031505.tif 000093
【図８６】
2013031505.tif 000094
【図８７】
2013031505.tif 000095
【図８８】
2013031505.tif 000096
【図８９】
2013031505.tif 000097
【図９０】
2013031505.tif 000098
【図９１】
2013031505.tif 000099
【図９２】
2013031505.tif 000100
【図９３】
2013031505.tif 000101
【図９４】
2013031505.tif 000102
【図９５】
2013031505.tif 000103
【図９６】
2013031505.tif 000104
【図９７】
2013031505.tif 000105
【図９８】
2013031505.tif 000106
【図９９】
2013031505.tif 000107
【図１００】
2013031505.tif 000108
【図１０１】
2013031505.tif 000109
【図１０２】
2013031505.tif 000110
【図１０３】
2013031505.tif 000111
【図１０４】
2013031505.tif 000112
【図１０５】
2013031505.tif 000113